(57)【要約】  無線周波数スペクトル帯域を使用するチャネルクリアランスは、基地局およびユーザ機器（ＵＥ）の両方のために実行され得る。基地局は、リッスンビフォアトーク（ＬＢＴ）プロシージャを実行し、共有無線周波数スペクトル帯域における１つまたは複数のチャネルが送信のために利用可能であると検証し、ＬＢＴプロシージャが成功する場合、１つまたは複数のＵＥにプレ許可送信を送信する。ＵＥは、プレ許可送信において示されたチャネルについてＬＢＴプロシージャを実行し得る。ＵＥ  ＬＢＴプロシージャがパスする場合、ＵＥは、プレ許可送信に応答して、フィードバック通信を送信し、チャネルクリアランス信号を送信し得る。フィードバック通信は、たとえば、プレ許可送信が受信されたことと、１つまたは複数のチャネルのうちどのチャネルがＬＢＴプロシージャに基づいて利用可能なのかとを示し得る。基地局は、フィードバック通信を受信し、ＵＥに送信を開始し得る。【選択図】図４
2018519768.tif 000002
【特許請求の範囲】
【請求項１】
ワイヤレス通信のための方法であって、
ワイヤレスデバイスが、リッスンビフォアトーク（ＬＢＴ）プロシージャを実行することと、
ダウンリンク送信のための１つまたは複数のチャネルおよび前記ダウンリンク送信の長さを示すプレ許可送信を受信することと、
前記ＬＢＴプロシージャに少なくとも部分的に基づいてチャネルクリアランス信号を送信することと、
前記プレ許可送信に応答してフィードバック通信を送信すること、前記フィードバック通信は、前記プレ許可送信が受信されたことと、前記１つまたは複数のチャネルのうちのどれが前記ＬＢＴプロシージャに基づいて利用可能かとを示す、と
を備える、方法。
【請求項２】
第１の波形タイプを使用して前記チャネルクリアランス信号を送信することと、
第２の波形タイプを使用して前記フィードバック通信を送信すること、前記第２の波形タイプは、前記第１の波形タイプと異なる、と
をさらに備える、請求項１に記載の方法。
【請求項３】
前記第１の波形タイプは、Ｗｉ−Ｆｉ波形であり、前記第２の波形タイプは、直交周波数分割多重（ＯＦＤＭ）波形である、
請求項２に記載の方法。
【請求項４】
前記ワイヤレスデバイスの近傍内でＷｉ−Ｆｉ送信機をクリアにするように前記チャネルクリアランス信号の送信電力を選択することと、
前記プレ許可送信を生成した基地局に前記フィードバック通信を送信するように前記フィードバック通信の送信電力を選択することと
をさらに備える、請求項２に記載の方法。
【請求項５】
前記チャネルクリアランス信号の前記送信電力は、前記ワイヤレスデバイスの前記近傍のエリアまたは前記ダウンリンク送信のチャネル品質要求のうちの１つまたは複数に基づいて選択される、
請求項４に記載の方法。
【請求項６】
前記ダウンリンク送信を受信することをさらに備える、
請求項１に記載の方法。
【請求項７】
前記プレ許可送信は、２つ以上のチャネルを示し、前記ダウンリンク送信は、前記プレ許可送信において示された前記チャネルのすべてよりも少ないチャネル上で受信される、
請求項６に記載の方法。
【請求項８】
前記ダウンリンク送信は、チャネル割り当ておよびダウンリンクデータを示すダウンリンク許可を備える、
請求項７に記載の方法。
【請求項９】
前記フィードバック通信は、チャネル品質情報（ＣＱＩＵ）をさらに備える、
請求項１に記載の方法。
【請求項１０】
各チャネルが占有されていると前記ＬＢＴプロシージャが示すとき、前記チャネルクリアランス信号および前記フィードバック通信の送信をスキップすることをさらに備える、
請求項１に記載の方法。
【請求項１１】
定義された時間期間の間１つまたは複数のチャネルについて干渉がないと決定することと、
前記プレ許可送信を中断するインジケーションを送信することと
をさらに備える、請求項１に記載の方法。
【請求項１２】
前記フィードバック通信がクリアチャネル免除送信（ＣＥＴ）であると決定することと、
前記ＬＢＴプロシージャをスキップすることと、
前記チャネルクリアランス信号を送信することと、
前記フィードバック通信を送信することと
をさらに備える、請求項１に記載の方法。
【請求項１３】
１つまたは複数のチャネルについてチャネルクリアランス信号の電力レベルおよびチャネルクリアランス信号をモニタすることと、
前記モニタされたチャネルクリアランス信号の電力レベルおよびチャネルクリアランス信号において示された時間期間を使用して将来の干渉を推定することと
をさらに備え、前記フィードバック通信を前記送信することは、前記将来の干渉レベルを前記推定することにさらに応答する、
請求項１に記載の方法。
【請求項１４】
前記モニタすることは、Ｗｉ−Ｆｉプリアンブルをモニタすることを備え、前記推定することは、前記Ｗｉ−Ｆｉプリアンブルに関連付けられた長さ情報および干渉レベルをアグリゲートすることを備える、
請求項１３に記載の方法。
【請求項１５】
前記ＬＢＴプロシージャは、前記プレ許可送信を受信した後に実行され、前記プレ許可送信において示された前記１つまたは複数のチャネルに少なくとも部分的に基づく、
請求項１に記載の方法。
【請求項１６】
前記ＬＢＴプロシージャを実行することは、前記プレ許可送信を受信する前に実行され、前記方法は、
前記ワイヤレスデバイスが、１つまたは複数のチャネルが送信のために利用可能かどうか決定するために共有無線周波数スペクトル帯域における前記１つまたは複数のチャネルを周期的にポーリングすることをさらに備える、
請求項１に記載の方法。
【請求項１７】
ワイヤレス通信のための方法であって、
プレ許可送信および肯定応答長さと、無線フレーム送信長さとに少なくとも部分的に基づく長さインジケーションを有するチャネルクリアランス信号を送信することと、
ダウンリンク送信のための１つまたは複数のチャネルおよび前記ダウンリンク送信の長さを示す前記プレ許可送信を送信することと、
前記プレ許可送信に応答してフィードバック通信を受信すること、前記フィードバック通信は、前記プレ許可送信が受信されたことと、前記１つまたは複数のチャネルのうちのどれが前記ダウンリンク送信のために利用可能かとを示す、と
を備える、方法。
【請求項１８】
前記チャネルクリアランス信号は、第１の波形タイプを有し、前記プレ許可送信は、前記第１の波形タイプと異なる第２の波形タイプを有する、
請求項１７に記載の方法。
【請求項１９】
前記第１の波形タイプは、Ｗｉ−Ｆｉ波形であり、前記第２の波形タイプは、直交周波数分割多重（ＯＦＤＭ）波形である、
請求項１８に記載の方法。
【請求項２０】
前記プレ許可送信は、前記ダウンリンク送信のための２つ以上のチャネルを示し、前記方法は、
前記フィードバック通信に少なくとも部分的に基づいて前記ダウンリンク送信を送信するための前記２つ以上のチャネルのうちの１つまたは複数のチャネルを決定することをさらに備える、
請求項１７に記載の方法。
【請求項２１】
前記決定された１つまたは複数のチャネルを使用して前記ダウンリンク送信を送信することをさらに備える、
請求項２０に記載の方法。
【請求項２２】
前記ダウンリンク送信は、前記プレ許可送信において示された前記チャネルのすべてよりも少ないチャネル上で送信される、
請求項１７に記載の方法。
【請求項２３】
前記フィードバック通信は、複数のユーザ機器（ＵＥ）デバイスから受信され、前記ダウンリンク送信は、前記フィードバック通信を送信した前記ＵＥデバイスのすべてより少ないＵＥデバイスに送信される、
請求項１７に記載の方法。
【請求項２４】
前記フィードバック通信は、チャネル品質情報（ＣＱＩ）をさらに備える、
請求項１７に記載の方法。
【請求項２５】
前記ＣＱＩに少なくとも部分的に基づいて前記ダウンリンク送信のための変調およびコーディングスキーム（ＭＣＳ）を決定することをさらに備える、
請求項２４に記載の方法。
【請求項２６】
１つまたは複数のチャネルについて干渉がないと識別することと、
前記プレ許可送信を中断することと
をさらに備える、請求項１７に記載の方法。
【請求項２７】
前記干渉がないと前記識別することは、
定義された時間期間の間干渉がないことを示す、ワイヤレスデバイスからの通信を受信することをさらに備える
請求項２６に記載の方法。
【請求項２８】
１つまたは複数のチャネルが送信のために利用可能であると、前記プレ許可送信を受信する１つまたは複数のユーザ機器（ＵＥ）が示さないと決定することと
１つまたは複数の異なるＵＥを対象とした新しいプレ許可送信を開始することと
をさらに備える、請求項１７に記載の方法。
【請求項２９】
ワイヤレス通信のための装置であって、
ワイヤレスデバイスが、リッスンビフォアトーク（ＬＢＴ）プロシージャを実行するための手段と、
ダウンリンク送信のための１つまたは複数のチャネルおよび前記ダウンリンク送信の長さを示すプレ許可送信を受信するための手段と、
前記ＬＢＴプロシージャに少なくとも部分的に基づいてチャネルクリアランス信号を送信するための手段と、
前記プレ許可送信に応答してフィードバック通信を送信するための手段、前記フィードバック通信は、前記プレ許可送信が受信されたことと、前記１つまたは複数のチャネルのうちのどれが前記ＬＢＴプロシージャに基づいて利用可能かとを示す、と
を備える、装置。
【請求項３０】
第１の波形タイプを使用して前記チャネルクリアランス信号を送信するための手段と、
第２の波形タイプを使用して前記フィードバック通信を送信するための手段、前記第２の波形タイプは、前記第１の波形タイプと異なる、と
をさらに備える、請求項２９に記載の装置。
【請求項３１】
前記第１の波形タイプは、Ｗｉ−Ｆｉ波形であり、前記第２の波形タイプは、直交周波数分割多重（ＯＦＤＭ）波形である、
請求項３０に記載の装置。
【請求項３２】
前記ワイヤレスデバイスの近傍内のＷｉ−Ｆｉ送信機をクリアにするように前記チャネルクリアランス信号の送信電力を選択するための手段と、
前記プレ許可送信を生成した基地局に前記フィードバック通信を送信するように前記フィードバック通信の送信電力を選択するための手段と
をさらに備える、請求項３０に記載の装置。
【請求項３３】
前記チャネルクリアランス信号の前記送信電力は、前記ワイヤレスデバイスの前記近傍のエリアまたは前記ダウンリンク送信のチャネル品質要求のうちの１つまたは複数に基づいて選択される、
請求項３２に記載の装置。
【請求項３４】
前記ダウンリンク送信を受信するための手段をさらに備える、
請求項２９に記載の装置。
【請求項３５】
前記プレ許可送信は、２つ以上のチャネルを示し、前記ダウンリンク送信は、前記プレ許可送信において示された前記チャネルのすべてよりも少ないチャネル上で受信される、
請求項３４に記載の装置。
【請求項３６】
前記ダウンリンク送信は、チャネル割り当ておよびダウンリンクデータを示すダウンリンク許可を備える、
請求項３５に記載の装置。
【請求項３７】
前記フィードバック通信は、チャネル品質情報（ＣＱＩ）をさらに備える、
請求項２９に記載の装置。
【請求項３８】
各チャネルが占有されていると前記ＬＢＴプロシージャが示すとき、前記チャネルクリアランス信号および前記フィードバック通信の送信をスキップするための手段をさらに備える、
請求項２９に記載の装置。
【請求項３９】
定義された時間期間の間１つまたは複数のチャネルについて干渉がないと決定するための手段と、
前記プレ許可送信を中断するインジケーションを送信するための手段と
をさらに備える、請求項２９に記載の装置。
【請求項４０】
前記フィードバック通信がクリアチャネル免除送信（ＣＥＴ）であると決定するための手段と、
前記ＬＢＴプロシージャをスキップするための手段と、
前記チャネルクリアランス信号を送信するための手段と、
前記フィードバック通信を送信するための手段と
をさらに備える、請求項２９に記載の装置。
【請求項４１】
１つまたは複数のチャネルについてチャネルクリアランス信号の電力レベルおよびチャネルクリアランス信号をモニタするための手段と、
前記モニタされたチャネルクリアランス信号の電力レベルおよびチャネルクリアランス信号において示された時間期間を使用して将来の干渉を推定するための手段と
をさらに備え、前記フィードバック通信を前記送信するための手段は、前記将来の干渉レベルを前記推定することにさらに応答する、
請求項２９に記載の装置。
【請求項４２】
前記モニタするための手段は、Ｗｉ−Ｆｉプリアンブルをモニタするための手段を備え、前記推定するための手段は、前記Ｗｉ−Ｆｉプリアンブルに関連付けられた長さ情報および干渉レベルをアグリゲートするための手段を備える、
請求項４１に記載の装置。
【請求項４３】
前記ＬＢＴプロシージャは、前記プレ許可送信を受信した後に実行され、前記プレ許可送信において示された前記１つまたは複数のチャネルに少なくとも部分的に基づく、
請求項２９に記載の装置。
【請求項４４】
前記ＬＢＴプロシージャを前記実行するための手段は、
前記プレ許可送信を受信する前に実行される前記ＬＢＴプロシージャを実行するための手段と、
前記ワイヤレスデバイスが、１つまたは複数のチャネルが送信のために利用可能かどうか決定するために共有無線周波数スペクトル帯域における前記１つまたは複数のチャネルを周期的にポーリングするための手段をさらに備える、
請求項２９に記載の装置。
【請求項４５】
ワイヤレス通信のための装置であって、
プレ許可送信および肯定応答長さと、無線フレーム送信長さとに少なくとも部分的に基づく長さインジケーションを有するチャネルクリアランス信号を送信するための手段と、
ダウンリンク送信のための１つまたは複数のチャネルおよび前記ダウンリンク送信の長さを示す前記プレ許可送信を送信するための手段と、
前記プレ許可送信に応答してフィードバック通信を受信するための手段、前記フィードバック通信は、前記プレ許可送信が受信されたことと、前記１つまたは複数のチャネルのうちのどれが前記ダウンリンク送信のために利用可能かとを示す、と
を備える、装置。
【請求項４６】
前記チャネルクリアランス信号は、第１の波形タイプを有し、前記プレ許可送信は、前記第１の波形タイプと異なる第２の波形タイプを有する、
請求項４５に記載の装置。
【請求項４７】
前記第１の波形タイプは、Ｗｉ−Ｆｉ波形であり、前記第２の波形タイプは、直交周波数分割多重（ＯＦＤＭ）波形である、
請求項３０に記載の装置。
【請求項４８】
前記プレ許可送信は、前記ダウンリンク送信のための２つ以上のチャネルを示し、前記装置は、
前記フィードバック通信に少なくとも部分的に基づいて前記ダウンリンク送信を送信するための前記２つ以上のチャネルのうちの１つまたは複数のチャネルを決定するための手段をさらに備える、
請求項４５に記載の装置。
【請求項４９】
前記決定された１つまたは複数のチャネルを使用して前記ダウンリンク送信を送信するための手段をさらに備える、
請求項４８に記載の装置。
【請求項５０】
前記ダウンリンク送信は、前記プレ許可送信において示された前記チャネルのすべてよりも少ないチャネル上で送信される、
請求項４５に記載の装置。
【請求項５１】
前記フィードバック通信は、複数のユーザ機器（ＵＥ）デバイスから受信され、前記ダウンリンク送信は、前記フィードバック通信を送信した前記ＵＥデバイスのすべてより少ないＵＥデバイスに送信される、
請求項４５に記載の装置。
【請求項５２】
前記フィードバック通信は、チャネル品質情報（ＣＳＩ）をさらに備える、
請求項４５に記載の装置。
【請求項５３】
前記ＣＱＩに少なくとも部分的に基づいて前記ダウンリンク送信のための変調およびコーディングスキーム（ＭＣＳ）を決定するための手段をさらに備える、
請求項５２に記載の装置。
【請求項５４】
１つまたは複数のチャネルについて干渉がないと識別するための手段と、
前記プレ許可送信を中断するための手段と
をさらに備える、請求項４５に記載の装置。
【請求項５５】
前記干渉がないことを前記識別するための手段は、
定義された時間期間の間干渉がないことを示す、ワイヤレスデバイスからの通信を受信するための手段をさらに備える、
請求項５４に記載の装置。
【請求項５６】
１つまたは複数のチャネルが送信のために利用可能であると、前記プレ許可送信を受信する１つまたは複数のユーザ機器（ＵＥ）が示さないと決定するための手段と
１つまたは複数の異なるＵＥを対象とした新しいプレ許可送信を開始するための手段と
をさらに備える、請求項４５に記載の装置。
【請求項５７】
ワイヤレスデバイスにおける通信のための装置であって、
プロセッサと、
前記プロセッサと電子通信状態にあるメモリと、
前記メモリ中に記憶された命令と
を備え、前記命令は、
ワイヤレスデバイスが、リッスンビフォアトーク（ＬＢＴ）プロシージャを実行することと、
ダウンリンク送信のための１つまたは複数のチャネルおよび前記ダウンリンク送信の長さを示すプレ許可送信を受信することと、
前記ＬＢＴプロシージャに少なくとも部分的に基づいてチャネルクリアランス信号を送信することと、
前記プレ許可送信に応答してフィードバック通信を送信すること、前記フィードバック通信は、前記プレ許可送信が受信されたことと、前記１つまたは複数のチャネルのうちのどれが前記ＬＢＴプロシージャに基づいて利用可能かとを示す、と
を行うように前記プロセッサによって実行可能である、装置。
【請求項５８】
ワイヤレスデバイスにおける通信のための装置であって、
プロセッサと、
前記プロセッサと電子通信状態にあるメモリと、
前記メモリ中に記憶された命令と
を備え、前記命令は、
プレ許可送信および肯定応答長さと、無線フレーム送信長さとに少なくとも部分的に基づく長さインジケーションを有するチャネルクリアランス信号を送信することと、
ダウンリンク送信のための１つまたは複数のチャネルおよび前記ダウンリンク送信の長さを示す前記プレ許可送信を送信することと、
前記プレ許可送信に応答してフィードバック通信を受信すること、前記フィードバック通信は、前記プレ許可送信が受信されたことと、前記１つまたは複数のチャネルのうちのどれが前記ダウンリンク送信のために利用可能かとを示す、と
を行うように前記プロセッサによって実行可能である、装置。
【発明の詳細な説明】
【関連出願】
【０００１】
[0001]本特許出願は、２０１５年７月７日付で出願された「Channel Clearance Techniques Using Shared Radio Frequency Spectrum Band」という題名の、Ｓｕｎ他による米国特許出願第６２／１８９，６９７号、および２０１６年６月１４日付で出願された、「Channel Clearance Techniques Using Shared Radio Frequency Spectrum Band」という題名の、Ｓｕｎ他による米国仮特許出願第１５／１８２，２７３号に基づく優先権を主張し、これらの各々は、本明細書の譲受人に譲渡される。
【背景技術】
【０００２】
[0002]下記は概して、ワイヤレス通信に関し、より詳細に、共有無線周波数スペクトル帯域を使用するチャネルクリアランス技法に関する。
【０００３】
[0003]ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（例えば、ロングタームエボリューション（ＬＴＥ（登録商標））システム）を含む。ワイヤレス多元接続通信システムは、いくつかの基地局を含み得、各々が、複数の通信デバイスのための通信を同時にサポートし、それは、別名、ユーザ機器（ＵＥ）として知られ得る。
【０００４】
[0004]いくつかのワイヤレス通信システムでは、基地局およびＵＥは、拡張コンポーネントキャリア（ｅＣＣ）または非ｅＣＣのようなコンポーネントキャリアの異なるタイプを使用する無線周波数スペクトル帯域を通して通信し得る。ＣＣの異なるタイプを介する基地局およびＵＥ通信が無線周波数スペクトル帯域を共有するとき、または基地局およびＵＥが通信の他のタイプを使用してデバイスと無線周波数スペクトル帯域を共有するとき、技法は、通信技法またはＣＣの異なるタイプの使用によって生じた干渉を避ける、低減する、またはキャンセルするために採用され得る。たとえば、無線周波数スペクトル帯域を使用するデバイスは、ＵＥまたは基地局のようなデバイスが、任意の他のデバイスがチャネル上で送信するかどうかを識別するためにチャネルをモニタし、そのチャネルがクリアである場合、送信するためにそのチャネルを使用する、リッスンビフォアトーク（ＬＢＴ）プロシージャを実行し得る。基地局と１つまたは複数のＵＥとの間で送信するとき、各デバイスは、異なるチャネル条件を経験し得、いくつかの場合では、基地局は、ＵＥがチャネル上で別のデバイスからの干渉を経験するとき、チャネルがクリアであると決定し得る。
【発明の概要】
【０００５】
[0005]本開示は、例えば、共有無線周波数スペクトル帯域を使用するチャネルクリアランス技法提供するための技法に関する。開示の様々な態様は、基地局およびＵＥの両方がチャネル上の送信前にチャネル条件を決定することを提供する。いくつかの例では、基地局は、リッスンビフォアトーク（ＬＢＴ）プロシージャを実行し得、共有無線周波数スペクトル帯域における１つまたは複数のチャネルが送信のために利用可能であることを検証する。ＬＢＴプロシージャが成功する場合、基地局は、ＵＥが１つまたは複数のチャネル上でＬＢＴプロシージャを実行するように示された１つまたは複数のＵＥにプレ許可（pre-grant）送信を送信し得る。ＵＥは、プレ許可送信に基づいて示されたチャネルについてＬＢＴプロシージャを実行し得る。ＵＥ ＬＢＴプロシージャがパスする場合、ＵＥは、プレ許可送信に応答して、フィードバック通信を送信しチャネルクリアランス信号を送信し得る。フィードバック通信は、たとえば、プレ許可送信が受信されたことと、１つまたは複数のチャネルのうちどのチャネルがＬＢＴプロシージャに基づいて利用可能なのかとを示し得る。基地局は、プレ許可送信に応答してフィードバック通信を受信し、フィードバック通信に基づいてＵＥに送信を開始し得る。
【０００６】
[0006]ワイヤレス通信の方法が説明される。方法は、ワイヤレスデバイスが、ＬＢＴプロシージャを実行することと、ダウンリンク送信についての１つまたは複数のチャネルおよびダウンリンク送信の長さを示すプレ許可送信を受信することと、ＬＢＴプロシージャに少なくとも部分的に基づいてチャネルクリアランス信号を送信することと、プレ許可送信に応答してフィードバック通信を送信すること、フィードバック通信は、プレ許可送信が受信されたことと、１つまたは複数のチャネルのうちどれがＬＢＴプロシージャに基づいて利用可能かとを示す、とを含み得る。
【０００７】
[0007]ワイヤレス通信のための装置が説明される。装置は、ワイヤレスデバイスが、ＬＢＴプロシージャを実行するための手段と、ダウンリンク送信についての１つまたは複数のチャネルおよびダウンリンク送信の長さを示すプレ許可送信を受信するための手段と、ＬＢＴプロシージャに少なくとも部分的に基づいてチャネルクリアランス信号を送信するための手段と、プレ許可送信に応答してフィードバック通信を送信するための手段、フィードバック通信は、プレ許可送信が受信されたことと、１つまたは複数のチャネルのうちどれがＬＢＴプロシージャに基づいて利用可能かとを示す、とを含み得る。
【０００８】
[0008]ワイヤレスデバイスにおける通信のためのさらなる装置が説明される。装置は、プロセッサと、プロセッサと電子通信するメモリと、メモリに格納された命令とを含み得、命令は、ワイヤレスデバイスが、ＬＢＴプロシージャを実行することと、ダウンリンク送信についての１つまたは複数のチャネルおよびダウンリンク送信の長さを示すプレ許可送信を受信することと、ＬＢＴプロシージャに少なくとも部分的に基づいてチャネルクリアランス信号を送信することと、プレ許可送信に応答してフィードバック通信を送信すること、フィードバック通信は、プレ許可送信が受信されたことと、１つまたは複数のチャネルのうちどれがＬＢＴプロシージャに基づいて利用可能かとを示す、とを行うようにプロセッサによって実行可能である。
【０００９】
[0009]ワイヤレスデバイスにおけるワイヤレス通信のためのコードを記憶する非一時的コンピュータ可読媒体が説明される。コードは、ＬＢＴプロシージャを実行することと、ダウンリンク送信についての１つまたは複数のチャネルおよびダウンリンク送信の長さを示すプレ許可送信を受信することと、ＬＢＴプロシージャに少なくとも部分的に基づいてチャネルクリアランス信号を送信することと、プレ許可送信に応答してフィードバック通信を送信すること、フィードバック通信は、プレ許可送信が受信されたことと、１つまたは複数のチャネルのうちどれがＬＢＴプロシージャに基づいて利用可能かとを示す、とを行うように実行可能である命令を含み得る。
【００１０】
[0010]以上で説明された方法、装置、または非一時的コンピュータ可読媒体のいくつかの例は、第１の波形タイプを使用するチャネルクリアランス信号を送信することと、第２の波形タイプを使用するフィードバック通信を送信すること、第２の波形タイプは、第１の波形タイプと異なる、とをさらに含み得る。追加または代替として、いくつかの例では、第１の波形タイプは、Ｗｉ−Ｆｉ波形であり、第２の波形タイプは、直交周波数分割多重（ＯＦＤＭ）波形である。
【００１１】
[0011]以上で説明された方法、装置、または非一時的コンピュータ可読媒体のいくつかの例は、ワイヤレスデバイスの近傍内でＷｉ−Ｆｉ送信機をクリアにするチャネルクリアランス信号の送信電力を選択することと、プレ許可送信が許可された基地局にフィードバック通信を送信するためにフィードバック通信の送信電力を選択することとをさらに含み得る。追加または代替として、いくつかの例では、チャネルクリアランス信号の送信電力は、ワイヤレスデバイスの近傍のエリアまたはダウンリンク送信のチャネル品質要求のうちの１つまたは複数に基づいて選択される。
【００１２】
[0012]以上で説明された方法、装置、または非一時的コンピュータ可読媒体のいくつかの例は、ダウンリンク送信を受信することをさらに含み得る。追加または代替として、いくつかの例では、プレ許可送信は、２つ以上のチャネルを示し、ダウンリンク送信は、プレ許可送信において示されたチャネルのすべてよりも少ないチャネル上で受信される。
【００１３】
[0013]以上で説明された方法、装置、または非一時的コンピュータ可読媒体のいくつかの例において、ダウンリンク送信は、チャネル割り当ておよびダウンリンクデータを示すダウンリンク許可を備える。追加または代替として、いくつかの例では、フィードバック通信は、チャネル品質情報（ＣＱＩ）をさらに備える。
【００１４】
[0014]以上で説明された方法、装置、または非一時的コンピュータ可読媒体のいくつかの例は、チャネルクリアランス信号の送信およびＬＢＴプロシージャが１つまたは複数の各々が示されていると示すときのフィードバック通信をスキップすることをさらに備え得る。追加または代替として、いくつかの例は、定義された時間期間の間の１つまたは複数のチャネルについて干渉がないと決定することと、プレ許可送信を停止するためにインジケーションを送信することとを含み得る。
【００１５】
[0015]以上で説明された方法、装置、または非一時的コンピュータ可読媒体のいくつかの例は、フィードバック通信がクリアチャネル免除送信（ＣＥＴ）であると決定することと、ＬＢＴプロシージャをスキップすることと、チャネルクリアランス信号の送信することと、フィードバック通信を送信することとをさらに含み得る。追加または代替として、いくつかの例は、チャネルクリアランス信号および１つまたは複数のチャネルのためのそれらの電力レベルをモニタすることと、検出されたチャネルクリアランス信号およびそれらの電力レベルにおいて示された期間を使用して将来の干渉を推定することと、将来の干渉レベルを推定することにさらに応答してフィードバック通信を送信することとを含み得る。
【００１６】
[0016]以上で説明された方法、装置、または非一時的コンピュータ可読媒体のいくつかの例では、モニタすることは、Ｗｉ−Ｆｉプリアンブルをモニタすることをさらに備え、推定することは、Ｗｉ−Ｆｉプリアンブルに関連付けられた長さ情報および干渉レベルをアグリゲートすることを備える。
【００１７】
[0017]ワイヤレス通信のための別の方法が説明される。方法は、プレ許可送信および肯定応答長さと、無線フレーム送信長さとに少なくとも部分的に基づく長さインジケーションを有するチャネルクリアランス信号を送信することと、ダウンリンク送信についての１つまたは複数のチャネルおよびダウンリンク送信の長さを示すプレ許可送信を送信することと、プレ許可送信に応答してフィードバック通信を受信すること、フィードバック通信は、プレ許可送信が受信されたことと、１つまたは複数のチャネルのうちどれがダウンリンク送信について利用可能かとを示す、とを含み得る。
【００１８】
[0018]ワイヤレスバイスにおけるワイヤレス通信のための装置が説明される。装置は、プレ許可送信および肯定応答長さと、無線フレーム送信長さとに少なくとも部分的に基づく長さインジケーションを有するチャネルクリアランス信号を送信するための手段と、ダウンリンク送信についての１つまたは複数のチャネルおよびダウンリンク送信の長さを示すプレ許可送信を送信するための手段と、プレ許可送信に応答してフィードバック通信を受信するための手段、フィードバック通信は、プレ許可送信が受信されたことと、１つまたは複数のチャネルのうちどれがダウンリンク送信について利用可能かとを示す、とを含み得る。
【００１９】
[0019]ワイヤレスデバイスにおける通信のためのさらなる装置が説明される。装置は、プロセッサと、プロセッサ、プロセッサと電子通信状態にあるメモリ、およびメモリに記憶された命令を含み得、命令は、プレ許可送信および肯定応答長さと、無線フレーム送信長さとに少なくとも部分的に基づく長さインジケーションを有するチャネルクリアランス信号を送信することと、ダウンリンク送信についての１つまたは複数のチャネルおよびダウンリンク送信の長さを示すプレ許可送信を送信することと、プレ許可送信に応答してフィードバック通信を受信すること、フィードバック通信は、プレ許可送信が受信されたことと、１つまたは複数のチャネルのうちどれがダウンリンク送信について利用可能かとを示す、とを行うようにプロセッサによって実行可能である。
【００２０】
[0020]ワイヤレスデバイスにおけるワイヤレス通信のためのコードを記憶する非一時的コンピュータ可読媒体が説明される。コードは、プレ許可送信および肯定応答長さと、無線フレーム送信長さとに少なくとも部分的に基づく長さインジケーションを有するチャネルクリアランス信号を送信することと、ダウンリンク送信についての１つまたは複数のチャネルおよびダウンリンク送信の長さを示すプレ許可送信を送信することと、プレ許可送信に応答してフィードバック通信を受信すること、フィードバック通信は、プレ許可送信が受信されたことと、１つまたは複数のチャネルのうちどれがダウンリンク送信について利用可能かとを示す、とを行うように実行可能である命令を含み得る。
【００２１】
[0021]以上で説明された方法、装置、または非一時的コンピュータ可読媒体のいくつかの例では、チャネルクリアランス信号は、第１の波形タイプを有し、プレ許可送信は、第１の波形タイプと異なる第２の波形タイプを有する。追加または代替として、いくつかの例では、第１の波形タイプは、Ｗｉ−Ｆｉ波形であり、第２の波形タイプは、直交周波数分割多重（ＯＦＤＭ）波形である。
【００２２】
[0022]以上で説明された方法、装置、または非一時的コンピュータ可読媒体のいくつかの例では、プレ許可送信は、ダウンリンク送信のための２つ以上のかチャネルを示し、方法は、フィードバック通信に少なくとも部分的に基づいてダウンリンク送信を送信するための２つ以上のチャネルのうちの１つまたは複数のチャネルを決定することをさらに備える。追加または代替として、いくつかの例は、決定された１つまたは複数のチャネルを使用してダウンリンク送信を送信することを含み得る。
【００２３】
[0023]以上で説明された方法、装置、または非一時的コンピュータ可読媒体のいくつかの例では、ダウンリンク送信は、プレ許可送信において占めされたチャネルのすべてより少ないチャネル上で送信される。追加または代替として、いくつかの例では、フィードバック通信は、複数のユーザ機器（ＵＥ）デバイスから受信され、ダウンリンク送信は、フィードバック通信を送信したＵＥデバイスのすべてより少ないＵＥデバイスに送信される。
【００２４】
[0024]上述された方法、装置、または非一時的コンピュータ可読媒体のいくつかの例では、フィードバック通信は、チャネル品質情報（ＣＱＩ）をさらに備える。追加または代替として、いくつかの例は、ＣＱＩに少なくとも部分的に基づいてダウンリンク通信について変調およびコーディングスキーム（ＭＣＳ）を決定することを含み得る。
【００２５】
[0025]以上で説明された方法、装置、または非一時的コンピュータ可読媒体のいくつかの例は、１つまたは複数のチャネルについて干渉がないと識別することと、プレ許可送信を停止することとをさらに備え得る。追加または代替として、いくつかの例では、干渉がないと識別することは、定義された時間期間の間の干渉がないと示す、ワイヤレスデバイスからの通信を受信することを備える。
【００２６】
[0026]以上で説明された方法、装置、または非一時的コンピュータ可読媒体のいくつかの例は、プレ許可送信を受信する１つまたは複数のユーザ機器（ＵＥ）が、１つまたは複数のチャネルが送信について利用可能であると示さないと決定することと、１つまたは複数の異なるＵＥに向けられた新規のプレ許可送信を開始することとをさらに含み得る。
【００２７】
[0027]上で説明された方法、装置、または非一時的コンピュータ可読媒体のいくつかの例は、ＬＢＴプロシージャがプレ許可送信の後に実行され、プレ許可送信において示された１つまたは複数のチャネルに少なくとも部分的に基づくことをさらに含み得る。
【００２８】
[0028]以上で説明された方法、装置、または非一時的コンピュータ可読媒体のいくつかの例は、ＬＢＴプロシージャがプレ許可送信を受信する前に実行されることをさらに含み、ＬＢＴがワイヤレスデバイスによって、１つまたは複数のチャネルが送信のために利用可能であるかどうかを決定するために共有無線周波数スペクトルにおける１つまたは複数のチャネルを周期的にポーリングすることとをさらに含み得る。
【００２９】
[0029]前述のことは、以下に続く詳細な説明がより良く理解されることができるように、本開示による複数例の特徴および技術的利点を、やや幅広く概説している。追加の特徴および利点が以下に説明されることになる。開示される概念および具体的な例は、本開示と同じ目的を実行するために、他の構造を修正または設計するための基礎として容易に利用され得る。このような同等の構成体（construction）は、添付の特許請求の範囲から逸脱しない。本明細書に開示される概念の特性は、関連する利点とともに、それらの構成および動作の方法の両方に関して、添付の図に関連して検討されたとき、以下の説明からより一層理解されるであろう。これらの図の各々は、例示および説明の目的のために提供され、特許請求の範囲の限定の定義として提供されるものではない。
【図面の簡単な説明】
【００３０】
[0030]本開示の本質および利点のさらなる理解は、以下の図面への参照によって実現されうる。添付の図では、同様のコンポーネントまたは特徴が、同じ参照ラベルを有しうる。さらに、同じの様々なコンポーネントは、参照ラベルに、ダッシュと、同様のコンポーネントを区別する第２のラベルとを後続させることによって区別されうる。本明細書において第１の参照ラベルのみが使用されている場合、第２の参照ラベルに関係なく同じ第１の参照ラベルを有する同様のコンポーネントのいずれか１つに、本説明が適用可能である。
【図１】本開示の様々な態様にしたがって、共有無線周波数スペクトルを使用するチャネルクリアランス技法をサポートするワイヤレス通信システムの例を例示する。
【図２】本開示の様々な態様にしたがって、共有無線周波数スペクトル帯域を使用するチャネルクリアランス技法をサポートするワイヤレス通信の例を例示する。
【図３】本開示のさまざまな態様にしたがってプレ許可送信および無線フレーム送信の例を例示する。
【図４】本開示の様々な態様にしたがって、共有無線周波数スペクトルを使用するチャネルクリアランス技法をサポートするＵＥにおけるプロセスフローの例を例示する。
【図５】本開示の様々な態様にしたがって、共有無線周波数スペクトル帯域を使用するチャネルクリアランス技法をサポートする基地局におけるプロセスフローの例を例示する。
【図６】本開示の様々な態様にしたがって、共有無線周波数スペクトル帯域を使用するチャネルクリアランス技法をサポートするワイヤレスデバイスのブロック図を示す。
【図７】本開示の様々な態様にしたがって、共有無線周波数スペクトル帯域を使用するチャネルクリアランス技法をサポートするワイヤレスデバイスのブロック図を示す。
【図８】本開示の様々な態様にしたがって、共有無線周波数スペクトル帯域を使用するチャネルクリアランス技法をサポートするワイヤレスデバイスのブロック図を示す。
【図９】本開示の様々な態様にしたがって、共有無線周波数スペクトルを使用するチャネルクリアランス技法をサポートするユーザ機器（ＵＥ）を含むシステムのブロック図を例示する。
【図１０】本開示の様々な態様にしたがって、共有無線周波数スペクトル帯域を使用するチャネルクリアランス技法をサポートするワイヤレスデバイスのブロック図を示す。
【図１１】本開示の様々な態様にしたがって、共有無線周波数スペクトル帯域を使用するチャネルクリアランス技法をサポートするワイヤレスデバイスのブロック図を示す。
【図１２】本開示の様々な態様にしたがって、共有無線周波数スペクトル帯域を使用するチャネルクリアランス技法をサポートするワイヤレスデバイスのブロック図を示す。
【図１３】本開示の様々な態様にしたがって、共有無線周波数スペクトル帯域を使用するチャネルクリアランス技法をサポートする基地局を含むシステムのブロック図を例示する。
【図１４】本開示の様々な態様にしたがって、共有無線周波数スペクトル帯域を使用するチャネルクリアランス技法のための方法を例示する。
【図１５】本開示の様々な態様にしたがって、共有無線周波数スペクトル帯域を使用するチャネルクリアランス技法のための方法を例示する。
【図１６】本開示の様々な態様にしたがって、共有無線周波数スペクトル帯域を使用するチャネルクリアランス技法のための方法を例示する。
【図１７】本開示の様々な態様にしたがって、共有無線周波数スペクトル帯域を使用するチャネルクリアランス技法のための方法を例示する。
【発明の詳細な説明】
【００３１】
[0041]共有無線周波数スペクトル帯域がワイヤレス通信システム上で通信の少なくとも一部のために使用される技法が説明される。いくつかの例では、共有無線周波数スペクトル帯域は、ＬＴＥ／ＬＴＥ−Ａ通信のために使用され得る。共有無線周波数スペクトル帯域は、専用無線周波数スペクトル帯域と組み合せて、または専用無線周波数帯域とは無関係に使用され得る。専用無線周波数スペクトル帯域は、無線周波数スペクトルが特定のユーザに対して認可されるので、送信する装置がアクセスのために競合しない無線周波数スペクトル（例えば、ＬＴＥ／ＬＴＥ−Ａ通信のために使用可能な認可無線周波数スペクトル）を含み得る。共有無線周波数スペクトルは、デバイスがアクセスのために競合する必要があり得る無線周波数スペクトル（例えば、ＷｉＦｉの使用のような無認可使用のために利用可能である無線周波数スペクトル、または、均等に共有されたまたは優先される手法における多数のオペレータによる使用のために利用可能である無線周波数スペクトル）であり得る。
【００３２】
[0042]いくつかのワイヤレスシステムでは、以上で議論したように、デバイスは、衝突を防ぐために、データを送る前位に時間期間の間媒体またはチャネルをモニタするために、リッスンビフォアトーク（ＬＢＴ）プロシージャを実行し得る。たとえば、そのようなＬＢＴプロシージャは、クリアチャネルアセスメント（ＣＣＡ）であり得る。チャネルがフリーであるとデバイスが感知する場合、それは、媒体またはチャネルが占有されると他のデバイスに示すためにチャネルクリアランス信号を送信し、媒体またはチャネルを使用して送信を開始し得る。いくつかの例では、デバイスは、本明細書でＷｉ−Ｆｉ通信と称される、ＩＥＥＥ８０２．１１標準を使用して通信するような、無認可技法と共存する無認可帯域のような、共有無線周波数スペクトル帯域を使用して送信される拡張コンポーネントキャリア（ｅＣＣ）を使用して送信され得る。いくつかの配置では、基地局は、ＬＢＴプロシージャを実行することと、無線フレームの間送信することから基地局の近傍のデバイスを取り除くためにＷｉ−Ｆｉ「送信可」（ＣＴＳ）信号を送信することと、１つまたは複数のＵＥがダウンリンク（ＤＬ）送信を検出することを助けるためにチャネル使用ビーコン信号（ＣＵＢＳ）を送ることとによって無線フレームのための通信を開始し得る。基地局は、その後、無線フレームの構造をＵＥに示すために物理フレームインジケータチャネル（ＰＦＦＩＣＨ）送信を送信し、たとえば、物理ダウンリンク制御チャネル（ＰＤＣＣＨ）または物理ダウンリンク共有チャネル（ＰＤＳＣＨ）送信を含むような、ＤＬ送信を送信し得る。
【００３３】
[0043]そのようなシステムにおけるＵＥは、ＤＬ送信を受信することを開始するためにＣＵＢＳによってトリガされ、無線フレームのアップリンク（ＵＬ）部分において送信の受け取りの肯定応答を報告し得る。しかしながら、基地局がＤＬにおけるＵＥをスケジュールするとき、ＵＥ受信と干渉する隠れたノードが存在する場合を知り得ない。そのような隠れたノードは、たとえば、基地局からのチャネルクリアランス信号を受信しないＵＥの近傍に位置したＷｉ−Ｆｉノードであり得る。そのようなノードが無線フレームのＤＬ部分の間に送信する場合、ＵＥは、干渉を受信し、適切に、無線フレームを受信し復号でき得ない。その上、基地局は、ＵＥにおけるそのような干渉およびチャネル条件を考慮しない干渉レベルに基づいて決定された変調およびコーディングスキーム（ＭＣＳ）を使用して送信し得る。
【００３４】
[0044]本明細書で記載するように、様々な態様は、無線フレーム送信の前に、プレ許可送信および肯定応答のためのショート送信を加えることによってデュアルトランザクションプロセスを提供し、それは、基地局とＵＥの両方がチャネル上での送信の前にチャネル条件を決定するのを可能にし得る。いくつかの例では、基地局は、ＬＢＴプロシージャ（たとえば、ＣＣＡ）を実行し得、共有無線周波数スペクトル帯域における１つまたは複数のチャネルが送信のために利用可能であることを検証する。ＬＢＴプロシージャが成功する場合、基地局は、基地局がプレ許可送信時間期間および無線フレーム送信時間期間に対応する時間の期間の間チャネルを予約していると示すために基地局の近傍の他のデバイスによって受信されるクリアランス信号を送信し得る。基地局は、その後、ＵＥが１つまたは複数のチャネル上でＬＢＴプロシージャを実行するように示された１つまたは複数のＵＥにプレ許可送信を送信し得る。ＵＥは、プレ許可送信に基づいて示されたチャネルについてＬＢＴプロシージャを実行し得る。ＵＥ ＬＢＴプロシージャがパスする場合、ＵＥは、ＵＥがプレ許可送信時間期間および無線フレーム送信時間期間に対応する時間の期間の間チャネルを予約していると示すためにＵＥの近傍の他のデバイスによって受信されるチャネルクリアランス信号を送信し得る。ＵＥは、その後、プレ許可送信に応答してフィードバック通信を送信し得る。フィードバック通信は、たとえば、プレ許可送信が受信されたことと、１つまたは複数のチャネルのうちどのチャネルがＬＢＴプロシージャに基づいて利用可能なのかとを示し得る。基地局は、プレ許可送信に応答してフィードバック通信を受信し、フィードバック通信に基づいてＵＥに送信を開始し得る。
【００３５】
[0045]本開示の態様は、ワイヤレス通信システムのコンテキストにおいて、最初に説明される。特定の例は、その後、プレ許可送信およびフレーム送信プロセスについて説明される。本開示のこれらおよび他の態様はさらに、ＣＣＡウィンドウ適合に関する装置図、システム図、およびフローチャートによって例示され、それらを参照して説明される。
【００３６】
[0046]図１は、本開示のさまざまな態様にしたがって、ワイヤレス通信システム１００の例を例示する。ワイヤレス通信システム１００は、基地局１０５、ユーザ機器（ＵＥ）１１５、およびコアネットワーク１３０を含む。いくつかの例では、ワイヤレス通信システム１００は、ロングタームエボリューション（ＬＴＥ）／ＬＴＥ−アドバンスト（ＬＴＥ−ａ）ネットワークであり得る。
【００３７】
[0047]基地局１０５は、１つまたは複数の基地局アンテナを介してＵＥ１１５とワイヤレスに通信し得る。各基地局１０５は、通信カバレージをそれぞれの地理的カバレージエリア１１０に提供し得る。ワイヤレス通信システム１００中に示される通信リンク１２５は、ＵＥ１１５から基地局１０５へのアップリンク（ＵＬ）送信、および／または基地局１０５からＵＥ１１５へのダウンリンク（ＤＬ）送信を含み得る。ＵＥ１１５は、ワイヤレス通信システム１００全体にわたって分散され得、各ＵＥ１１５は、ステイショナリーまたはモバイルであり得る。ＵＥ１１５はまた、モバイル局、加入者局、遠隔ユニット、ワイヤレスデバイス、アクセス端末、ハンドセット、ユーザエージェント、クライアント、または何らかの他の好適な専門用語で呼ばれ得る。ＵＥ１１５はまた、携帯電話、ワイヤレスモデム、ハンドヘルドデバイス、パーソナルコンピュータ、タブレット、パーソナル電子デバイス、マシンタイプ通信（ＭＴＣ）デバイスまたは同様のものであり得る。
【００３８】
[0048]複数の基地局１０５は、コアネットワーク１３０と、および互いに、通信し得る。例えば、基地局１０５は、バックホールリンク１３２（例えば、Ｓ１など）を通じてコアネットワーク１３０とインターフェースし得る。基地局１０５また、（例えば、コアネットワーク１３０を通じて）直接的にまたは間接的にのいずれかで、バックホールリンク１３４（例えば、Ｘ２など）を通して互いに通信し得る。基地局１０５は、ＵＥ１１５との通信のために無線構成およびスケジューリングを実行し得るか、または基地局コントローラ（図示せず）の制御下で動作し得る。いくつかの例では、基地局１０５は、マクロセル、スモールセル、ホットスポット、または同様のものであり得る。基地局１０５はまた、ｅノードＢ（ｅＮＢ）１０５と呼ばれ得る。
【００３９】
[0049]いくつかのケースでは、ワイヤレス通信システム１００は、１つまたは複数の拡張コンポーネントキャリア（ｅＣＣ）を利用し得る。拡張コンポーネントキャリア（ｅＣＣ）は、フレキシブル帯域幅、異なる送信時間間隔（ＴＴＩ）、および修正された制御チャネル構成を含む１つまたは複数の特徴によって特徴付けられ得る。いくつかのケースでは、ｅＣＣは、（例えば、複数のサービングセルが準最適バックホールリンクを有するとき）デュアルコネクティビティ構成またはキャリアアグリゲーション（ＣＡ）構成に関連付けられ得る。ｅＣＣはまた、（例えば、１人より多くのオペレータがスペクトルを使用することを認可されている）共有スペクトルまたは無認可スペクトルで使用するために構成され得る。フレキシブル帯域幅によって特徴付けられているｅＣＣは、全帯域幅をモニタすることができない、または（電力を節約するために）制限された帯域幅を使用することを好むＵＥ１１５によって使用され得る１つまたは複数のセグメントを含み得る。
【００４０】
[0050]いくつかのケースでは、ｅＣＣは、他のコンポーネントキャリア（ＣＣ）とは異なるＴＴＩ長を利用し得、それは、他のＣＣのＴＴＩと比較すると低減されたまたは可変のシンボル持続時間の使用を含みうる。シンボル持続時間は、いくつかのケースでは、同じままでありうるが、各シンボルは、異なるＴＴＩを表しうる。いくつかの例では、ｅＣＣは、異なるＴＴＩ長に関連付けられた複数の階層的レイヤを含みうる。例えば、１つの階層的レイヤにおけるＴＴＩが、均一の１ｍｓサブフレームに対応しうるのに対して、第２のレイヤでは、可変長のＴＴＩが、短い持続時間シンボル期間のバーストに対応しうる。いくつかのケースでは、より短いシンボル持続時間はまた、増大されたサブキャリア間隔に関連付けられうる。低減されたＴＴＩ長と併せて、ｅＣＣは、動的時間分割複信（ＴＤＤ）動作を利用し得る（すなわち、それは、動的条件にしたがって、ショートバーストのためにダウンリンク（ＤＬ）動作からアップリンク（ＵＬ）動作に切り替えることを可能にし得る）。
【００４１】
[0051]フレキシブル帯域幅および可変のＴＴＩは、修正された制御チャネル構成に関連付けられうる（例えば、ｅＣＣは、ＤＬ制御情報のために拡張物理ダウンリンク制御チャネル（ｅＰＤＣＣＨ）を利用しうる）。例えば、ｅＣＣの１つまたは複数の制御チャネルは、フレキシブル帯域幅使用に対応する（accommodate）ために、周波数分割多重化（ＦＤＭ）スケジューリングを利用しうる。他の制御チャネルの修正は、異なる間隔で送信される制御チャネル、または（例えば、可変長のＵＬおよびＤＬバーストの長さを示すための、または発展型マルチメディアブロードキャストマルチキャストサービス（ｅＭＢＭＳ）スケジューリングのための）追加の制御チャネルの使用を含む。ｅＣＣはまた、修正されたまたは追加のハイブリッド自動再送要求（ＨＡＲＱ）関連制御情報を含みうる。
【００４２】
[0052]いくつかの例では、基地局１０５およびＵＥ１１５の両方がチャネルを通した送信前にチャネル条件を決定し得る。いくつかの例では、基地局１５０は、ＬＢＴプロシージャを実行し得、共有無線周波数スペクトル帯域における１つまたは複数のチャネルが送信のために利用可能であることを検証する。ＬＢＴプロシージャが成功する場合、基地局１０５は、ＵＥ１１５が１つまたは複数のチャネル上でＬＢＴプロシージャを実行するように示された、１つまたは複数のＵＥ１１５にプレ許可送信を送信し得る。ＵＥ１１５は、プレ許可送信に基づいて示されたチャネルについてＬＢＴプロシージャを実行し得る。ＵＥ１１５においてＬＢＴプロシージャがパスする場合、それは、チャネルクリアランス信号を送信し、プレ許可送信に応答してフィードバック通信を送信し得る。フィードバック通信は、たとえば、プレ許可送信が受信されたことと、１つまたは複数のチャネルのうちどのチャネルがＬＢＴプロシージャに基づいて利用可能なのかとを示し得る。基地局１０５は、プレ許可送信に応答してフィードバック通信を受信し、フィードバック通信に基づいてＵＥ１１５に送信を開始し得る。
【００４３】
[0053]他の例では、ＵＥ１１５は、基地局１０５からプレ許可送信を受信する前にチャネル条件を決定し得る。これらの例では、ＵＥ１１５は、ＬＢＴプロシージャを実行し得、共有無線周波数スペクトル帯域における１つまたは複数のチャネルが送信のために利用可能であることを検証する。ＵＥ１１５は、１つまたは複数のチャネルの各々上に存在するエネルギーレベルを周期的に決定し得る。エネルギーレベルが１つまたは複数のチャネル上でエネルギーしきい値を下回って存在する場合、ＵＥ１１５は、チャネルが送信のために利用可能であると決定し得る。ＵＥ１１５がプレ許可送信を受信した後、ＵＥ１１５は、プレ許可送信において示された１つまたは複数のチャネルがＵＥ１１５によってすでに実行された周期的ＬＢＴプロシージャに少なくとも部分的に基づいて送信のために利用可能かどうかを決定する。プレ許可送信において示された１つまたは複数のチャネルのうちの少なくとも１つが送信のために利用可能である場合、ＵＥ１１５は、別のＬＢＴプロシージャを実行せずにチャネルクリアランス信号を送信し得る。ＵＥ１１５はまた、プレ許可送信に応答してフィードバック通信を送信し得る。フィードバック通信は、たとえば、プレ許可送信が受信されたことと、１つまたは複数のチャネルのうちどのチャネルが利用可能なのかとを示し得る。基地局１０５は、プレ許可送信に応答してフィードバック通信を受信し、フィードバック通信に基づいてＵＥ１１５に送信を開始し得る。プレ許可送信において示された１つまたは複数のチャネルのいずれもが既に実行された周期的ＬＢＴプロシージャに基づいて送信のために利用可能でない場合、ＵＥ１１５は、既に上で説明されたようなプレ許可送信に基づく他のＬＢＴプロシージャを実行し得る。
【００４４】
[0054]図２は、本開示の様々な態様に従って、ワイヤレス通信の受信のためのメモリ管理についてのワイヤレス通信サブシステム２００の例を例示する。ワイヤレス通信サブシステム２００は、ＵＥ１１５−ａおよび基地局１０５−ａを含み得、これらは、図１を参照して説明されたＵＥ１１５基地局１０５の例であり得る。基地局１０５−ａは、カバレージエリア１１０−ａを有し、通信リンク１２５−ａを介してデバイス１１５−ａと通信し得る。いくつかの例では、通信リンク１２５−ａは、共有無線周波数スペクトル帯域における共有チャネルを使用し得る。
【００４５】
[0055]図２の例では、Ｗｉ−Ｆｉノード２０５は、ＵＥ１１５−ａの近くに位置され、ＵＥ１１５−ａと基地局１０５−ａとの間の送信と干渉し得る。たとえば、Ｗｉ−Ｆｉノード２０５は、基地局１０５−ａからＵＥ１１５−ａへの送信の前に基地局１０５−ａからのチャネルクリアランス信号を受信し得ない。Ｗｉ−Ｆｉノード１０５が無線フレームのＤＬ部分の間に送信する場合、ＵＥ１１５−ａは、干渉を受信し、基地局１０５−ａからの送信を適切に受信し復号でき得ない。その上、基地局１０５−ａは、ＵＥ１１５−ａにおけるそのような干渉およびチャネル条件を考慮しない干渉レベルに基づいて決定された変調およびコーディングスキーム（ＭＣＳ）を使用して送信し得る。いくつかの例では、以下でより詳細に説明されるように、基地局１０５−ａおよびＵＥ１１５−ａは、プレ許可送信および肯定応答についてのショート送信、その後に無線フレーム送信が続く、を含むデュアルトランザクションプロセスを実行し得、それは、基地局１０５−ａおよびＵＥ１１５−ａの両方がチャネル上での送信の前にチャネル条件を決めることを可能にし得る。１つのＵＥ１１５−ａが図２で例示されているが、多くのＵＥ１１５は、基地局１０５−ａと通信状態にあり得る。
【００４６】
[0056]図３は、本開示のさまざまな態様にしたがってプレ許可送信３００および無線フレーム送信３０５のデュアルトランザクションプロセス３００の例を例示する。通信システム３００はまた、第１のＵＥ１１５−ｂ、第２のＵＥ１１５−ｃ、および基地局１０５−ａを含み得、これらは、図１〜２を参照して説明されたＵＥ１１５および基地局１０５の例であり得る。図３のいくつかの例では、基地局１０５−ｂは、ＬＢＴプロシージャを実行し、ＬＢＴプロシージャがパスするイベントでは、基地局１０５−ｂは、プレ許可送信３０５および無線フレーム送信３１０の両方をカバーするのに十分である時間期間３２０をカバーする長さフィールドを持つ、Ｗｉ−Ｆｉ「ＣＴＳツーセルフ（CTS-to-Self）」送信３１５の送信を通じた送信のための１つまたは複数のチャネルを予約し得る。Ｗｉ−Ｆｉ ＣＴＳツーセルフ送信３１５は、Ｗｉ−Ｆｉ波形（たとえば、ＩＥＥＥ８０２．１１ ＣＴＳ送信）を使用し、その結果、基地局１０５−ｂの近傍のＷｉ−Ｆｉノード（つまり、基地局１０５−ｂの範囲内の１つまたは複数のＷｉ−Ｆｉノード）は、基地局１０５−ｂがチャネルを予約していることを検出することができ、干渉から基地局１０５−ｂを保護するためにチャネルを使用して送信することを控える。例では、このＷｉ−Ｆｉ波形がＵＥ１１５−ｂまたはＵＥ１１５−ｃを対象としていないが、基地局１０５−ｂの近傍の無線周波数スペクトル帯域をクリアにするために提供されることに注意されたい。
【００４７】
[0057]ＣＴＳツーセルフ３１５に続いて、基地局１０５−ｂは、プレ許可送信３２５を送信し得る。プレ許可送信３２５は、後続のダウンリンク送信のために使用されるべき１つまたは複数のチャネルに関しての情報、およびダウンリンク送信の長さを含み得る。たとえば、プレ許可送信３２５は、２０ＭＨｚチャネルの２つ以上のサブバンドまたは複数のチャネルのうちどれが後続のＤＬ送信のために使用されるべきかを示し得る。たとえば、ＣＴＳツーセルフ送信３１５およびプレ許可送信３２５は、２０ＭＨｚの複数のサブバンドを占有するが、本明細書で説明されるコンセプトが複数のチャネルに一般化され得ることは容易に理解されるだろう。プレ許可送信３２５はまた、送信を受信することとなる特定のＵＥ１１５および送信のための時間期間を示し得る。第１のＵＥ１１５−ｂおよび第２のＵＥ１１５−ｃの両方は、プレ許可送信３２５を受信し、どの２０ＭＨｚチャネルでそれがサービスされることになるかを決定し得る。ＵＥ１１５は、その後、それらがクリアかどうか（たとえば、干渉するか否か）をみるためにそれらのチャネル上でＬＢＴプロシージャを実行し、ＬＢＴプロシージャが成功する場合、その近傍をクリアにするためにＵＥ Ｗｉ−Ｆｉ ＣＴＳ３３０を送り得る。基地局ＣＴＳツーセルフ送信３１５も同様に、ＵＥ Ｗｉ−Ｆｉ ＣＴＳ３３０は、基地局１０５−ｂによる受信を対象としていない。ＵＥ Ｗｉ−Ｆｉ ＣＴＳ３３０は、基地局１０５−ｂからのＤＬ送信のスケジュールされた持続時間に基づく時間の期間３３５をカバーし得る。第１のＵＥ１１５−ｂおよび第２のＵＥ１１５−ｂの両方（および任意の他のＵＥ）は、同じ２０ＭＨｚチャネルを通してＵＥ  Ｗｉ−Ｆｉ ＣＴＳ３３０を、それらがＤＬ送信におけるそのチャネル中の異なるリソースブロック（ＲＢ）でサービスされることになる場合に送り、従って、多数のＵＥ１１５がＵＥ Ｗｉ−Ｆｉ ＣＴＳ３３０を送る場合、波形は、単一周波数ネットワーク（ＳＦＮ）を形成し、互いに干渉しないだろう。
【００４８】
[0058]ＵＥ Ｗｉ−Ｆｉ ＣＴＳ３３０に続いて、第１のＵＥ１１５−ｂは、基地局１０５−ｂにフィードバック送信３４０を送信し、第２のＵＥ１１５−ｃは、基地局１０５−ｂにフィードバック送信３４５を送信し得る。フィードバック送信３４０、３４５の各々は、プレ許可送信３２５に対する肯定応答を含み得る。いくつかの例では、フィードバック送信３４０、３４５はまた、どのチャネルがＬＢＴプロシージャをパスしたかを示し、それは、プレ許可送信３２５中で示されたチャネルのすべてより少ないチャネルであり得る。ある例では、フィードバック送信３４０、３４５はまた、チャネル品質インジケータ（ＣＱＩ）情報を含み、それは、１つまたは複数のチャネル特性を示し、ＤＬ送信についてのより正確なＭＣＳを決定するために基地局によって使用され得る。フィードバック送信３４０、３４５は、ＬＴＥ／ＬＴＥ−Ａシステムにおいて使用される直交周波数分割多重（ＯＦＤＭ）波形のような、ＵＥ Ｗｉ−Ｆｉ ＣＴＳ３３０と異なる波形を使用し得る。フィードバック送信３４０、３４５は、各ＵＥ１１５が基地局１０５−ｂに送信するチャネルの異なるサブ帯域を使用するような、周波数分割多重（ＦＤＭ）を使用して送信され得る。
【００４９】
[0059]基地局１０５−ｂは、フィードバック送信３４０、３４５を受信し、ダウンリンク送信のために使用する１つまたは複数のチャネルを決定するために送信からの情報を使用し、無線フレーム送信３１０のためのＭＣＳを決定するために情報を使用し得る。基地局１０５−ｂは、その後、第１のＵＥ１１５−ｂに第１のダウンリンク送信３５０を、第２のＵＥ１１５−ｃに第２のダウンリンク送信３５５を送信し得る。ダウンリンク送信３５０、３５５は、最終ＤＬ許可を搬送する物理ダウンリンク制御チャネル（ＰＤＣＣＨ）送信を含み得、それは、プレ許可送信３２５において示される許可と異なることができる。たとえば、第１のＵＥ１１５−ｂがあるチャネルのみがＬＢＴプロシージャをクリアしたと示される場合、ＰＤＣＣＨ送信は、第１のＤＬ送信３５０がＰＢＴプロシージャをクリアしたチャネルのうち１つまたは複数上にあると示し得る。さらに、ダウンリンク送信３５０、３５５のＭＣＳは、フィードバック送信３４０、３４５において報告されたＣＱＩを反映し得る。ダウンリンク送信３５０、３５５に続いて、第１のＵＥ１１５−ｂおよび第２のＵＥ１１５−ｃは、アップリンク送信を送信し得、それは、第１のＵＥ１１５−ｂからの第１の物理アップリンク制御チャネル（ＰＵＣＣＨ）送信３６０と、第２のＵＥ１１５−ｃからの第２のＰＵＣＣＨ送信３６５と、各ＵＥ１１５からの物理アップリンクチャネル（ＰＵＳＣＨ）送信３７０とを含み得る。
【００５０】
[0060]いくつかの例では、ＵＥ１１５は、プレ許可送信３２５において示されたチャネルのうちの１つまたは複数について成功したＬＢＴプロシージャを有し得ない。たとえば、ＵＥ１１５は、別のデバイスがチャネルを使用していることを示す相対的に強い干渉の下に存在し得る。そのような場合では、それぞれのチャネルがＬＢＴプロシージャをパスした場合にＵＥ Ｗｉ−Ｆｉ ＣＴＳ３３０が１つまたは複数のチャネル上でまだ送信されていても、ＵＥ１１５は、影響されたチャネル上でＵＥ Ｗｉ−Ｆｉ ＣＴＳ３３０を送信し得ない。いくつかの例では、プレ許可送信３２５およびフィードバック送信３４０、３４５は、相対的に短い送信時間間隔（ＴＴＩ）を使用するので、無線フレーム送信期間３１０に関して相対的に短いプレ許可送信期間３０５を提供し得る。いくつかの例では、プレ許可送信３２５は、各ＵＥ１１５へのＤＬ許可のすべての利用可能なチャネルを示し、基地局１１５−ｂは、その後、フィードバック送信３４０、３４５に基づいて使用するどの特定のチャネルを使用するかを決定し得る。いくつかの例では、ＵＥ Ｗｉ−Ｆｉ ＣＴＳ３３０送信電力は、適切な沈黙しているエリア、すなわち近傍を提供するために、ターゲット信号対ノイズ比（ＳＮＲ）を提供するように選択され得る。
【００５１】
[0061]さらなる例では、環境感知アルゴリズムがプレ許可トランザクションを使用可能または使用不可能にするために使用され得る。例として、相対的に静的な環境では、ＵＥ１１５は、特定の時間期間の間に任意の強い干渉を体験せず、プレ許可送信３０５がチャネルをクリアにするために必要ないと決定し得る。干渉が検出されるイベントでは、プレ許可送信３０５は、再度使用可能になり得る。
【００５２】
[0062]さらなる例では、１つまたは複数のＵＥ１１５は、ＬＢＴプロシージャを実行することが要求されていないと決定し得る。たとえば、第１のＵＥ１１５−ｂは、アップリンク送信のみがフィードバック送信３４０および第１のＤＬ送信３５０の肯定応答であり、それらの送信の持続時間が他のデバイスについて重大な干渉を引き起こさないだろうと決定し得る、または第１のＵＥ１１５−ｂは、ＣＣＡ免除送信（ＣＥＴ）を送信することができ、そのような場合では、ＬＢＴプロシージャをスキップし得る。いくつかの例では、１つまたは複数のＵＥ１１５はまた、送信をモニタし、将来における干渉レベルの推定値を保持し得る。干渉レベルが相対的に高いと推定される場合、たとえば、第１のＵＥ１１５−ｂは、フィードバック送信３４０における送信を承認しないことによりプレ許可送信３２５を拒絶し得る。干渉があまり高くないだろうと第１のＵＥ１１５−ｂが推定する場合、それは、プレ許可送信３２５を承認することができるが、フィードバック送信３４０を送信するときの推定干渉レベルを反映するために報告されるＣＱＩを調整する。そのような将来の干渉レベルの推定は、例えば、他のＷｉ−ＦｉノードまたはｅＣＣノードからの他のＷｉ−Ｆｉプリアンブルをモニタすることによって行われ得る。Ｗｉ−Ｆｉプリアンブルエネルギーは、干渉レベル情報を提供し、干渉がどのくらいの長さ続く（last）ことになるのかを示す長さ情報を含み得る。そのような情報は、検出されるすべてのプリアンブルにわたってアグリゲートされ得る。ＵＥ１１５−ｂは、近い将来における干渉を予測し、プレ許可送信３２５のための肯定応答決定をアシストするためにそれを使用することができる。さらなる例では、１つのＵＥ１１５もプレ許可送信３２５を承認しない場合、基地局１０５−ｂは、無線フレームを放棄し、ＵＥ１１５の異なるセットで別の新しい無線フレーム送信プロシージャを開始し得る。
【００５３】
[0063]図４は、本開示の様々な態様にしたがって、共有無線周波数スペクトルを使用するチャネルクリアランス技法のためのプロセスフロー４００の例を例示する。プロセスフロー４００は、図１〜３を参照して説明された、ＵＥ１１５または基地局１０５の例でありうる、ＵＥ１１５−ｂおよび基地局１０５−ｂを含み得る。ＵＥ１１５−ｄは、基地局１０５−ｃからプレ許可送信４０５−ａを受信する。プレ許可送信は、たとえば、ダウンリンク送信のための１つまたは複数のチャネルおよびダウンリンク送信の長さを示し得る。ＵＥ１１５−ｄは、ブロック４１０に示されるように、プレ許可送信において示されたチャネルについて、プレ許可送信に基づいてリッスンビフォアトーク（ＬＢＴ）プロシージャを実行し得る。代替として、ＵＥ１１５−ｄは、基地局１０５−ｃからプレ許可送信４０５−ｂを受信する前にＬＢＴプロシージャを実行し得る。この事例では、ＵＥ１１５−ｄは、１つまたは複数のチャネルが送信のために利用可能かどうか決定するために共有無線周波数スペクトル帯域における１つまたは複数のチャネルを周期的にポーリングし得る。
【００５４】
[0064]ブロック４１５で、ＵＥ１１５−ｄは、リッスンビフォアトーク（ＬＢＴ）プロシージャに基づいてチャネルクリアランス信号を送信し得る。チャネルクリアランス信号は、Ｗｉ−Ｆｉ波形タイプのような、第１の波形タイプを使用して送信され得る。いくつかの例では、チャネルクリアランス信号の送信電力は、ワイヤレスデバイスの近傍内でＷｉ−Ｆｉ送信機をクリアにするように選択され得る。
【００５５】
[0065]ＵＥ１１５−ｄは、プレ許可送信４０５−ａまたは４０５−ｂに応答してフィードバック通信４２０を送信し得る。フィードバック通信４２０は、例えば、プレ許可送信が受信されたことと、１つまたは複数のチャネルのうちのどれがＬＢＴプロシージャに基づいて利用可能かとを示し得る。いくつかの例では、ＵＥ１１５−ｄは、第１の波形タイプと異なり得る、第２の波形タイプを使用してフィードバック通信を送信し得る。いくつかの例では、第１の波形タイプは、Ｗｉ−Ｆｉ波形であり、第２の波形タイプは、直交周波数分割多重（ＯＦＤＭ）波形である。
【００５６】
[0066]ある例では、フィードバック通信４２０の送信電力は、プレ許可送信４２０を生成した基地局１０５−ｃにフィードバック通信を送信するように選択され得る。いくつかの例では、チャネルクリアランス信号の送信電力は、ワイヤレスデバイスの近傍のエリアまたはダウンリンク送信のチャネル品質要求のうちの１つまたは複数に少なくとも部分的に基づいて選択される。
【００５７】
[0067]いくつかの例では、ＵＥ１１５−ｄは、ダウンリンク送信４２５を受信し、アップリンク送信４３０を送信し得る。いくつかの例では、プレ許可送信４０５は、２つ以上のチャネルを示し、ダウンリンク送信４２５は、プレ許可送信４０５において示されたチャネルのすべてよりも少ないチャネル上で受信される。いくつかの例では、ダウンリンク送信４２５は、チャネル割り当ておよびダウンリンクデータを示すダウンリンク許可を含み得る。いくつかの例では、フィードバック通信４２０は、ＣＱＩ情報を含み得、それは、ＵＥ１１５−ｄと通信するためのＭＣＳのセクションにおいて基地局１０５−ｃによって使用され得る。
【００５８】
[0068]ある例では、ＵＥ１１５−ｄは、１つまたは複数のチャネルが占有され得るとＬＢＴプロシージャが示すとき、チャネルクリアランス信号の送信４１５およびフィードバック通信４２０をスキップし得る。他の例では、ＵＥ１１５−ｄは、定義された時間期間の間の１つまたは複数のチャネルについて干渉がないと決定し、プレ許可送信を中断するためにインジケーションを送信し得る。さらなる例では、ＵＥ１１５−ｄは、フィードバック通信４２０がクリアチャネル免除送信（ＣＥＴ）であると決定し、ＬＢＴプロシージャをスキップし得る。
【００５９】
[0069]さらなる例では、ＵＥ１１５−ｄは、１つまたは複数のチャネルについて他のノードのチャネルクリアランス信号およびそれらの電力レベルをモニタし、検出されたチャネルクリアランス信号およびそれらの電力レベルにおいて示された時間期間を使用して将来の干渉レベルを推定し得る。そのような例では、フィードバック通信４２０はさらに、将来の干渉レベルを推定することに応答し得る。いくつかの例では、モニタすることは、他のノードのＷｉ−Ｆｉプリアンブルをモニタすることを含み、将来の干渉レベルの推定は、Ｗｉ−Ｆｉプリアンブルに関連付けられた長さ情報および干渉レベルをアグリゲートすることに基づき得る。
【００６０】
[0070]図５は、本開示の様々な態様にしたがって、共有無線周波数スペクトルを使用するチャネルクリアランス技法のためのプロセスフロー５００の例を例示する。通信システム５００は、第１のＵＥ１１５−ｅ、第２のＵＥ１１５−ｆ、および基地局１０５−ｄを含み得、これらは、図１−図３を参照して説明されたＵＥ１１５および基地局１０５の例であり得る。
【００６１】
[0071]基地局１０５−ｄは、ブロック５０５で、共有無線周波数スペクトル帯域のうちの１つまたは複数のチャネルについてＬＢＴプロシージャを実行し得る。ＬＢＴプロシージャがチャネルのうちの１つまたは複数が送信のために利用可能であると示す場合、基地局１０５−ｄは、ブロック５１０で、プレ許可送信／肯定応答長さと、フレーム送信長さとに基づく長さインジケーションを有する、ＣＴＳツーセルフのような、チャネルクリアランス信号を送信し得る。基地局１０５−ｄは、第１のＵＥ１１５−ｅおよび第２のＵＥ１１５−ｆにプレ許可送信５１５を送信し得る。プレ許可送信５１５は、ダウンリンク送信のための１つまたは複数のチャネルおよびダウンリンク送信の長さを示し得る。
【００６２】
[0072]基地局１０５−ｄは、第１のＵＥ１１５−ｅからのＵＥ１フィードバック通信５２０および第２のＵＥ１１５−ｆからのＵＥ２フィードバック通信５２５を受信し得る。フィードバック通信５２０、５２５は、プレ許可送信５１５が受信されたことと、１つまたは複数のチャネルのうちのどれがダウンリンク送信のために利用可能かとを示し得る。いくつかの例では、フィードバック通信５２０、５２５は、通信のためのＭＣＳを選択する際に使用されるＣＱＩ情報を含み得る。ブロック５３０で、基地局１０５−ｄは、ダウンリンク送信のためのチャネルおよびＵＥを決定し得る。基地局１０５−ｄは、ＵＥ１１５−ｅにＤＬ送信５３５を送信し、ＵＥ２ １１５−ｆにＤＬ送信５４０を送信し得る。
【００６３】
[0073]いくつかの例では、ブロック５１０からのＣＴＳツーセルフは、第１の波形タイプを有し、プレ許可送信は、第１の波形タイプと異なる第２の波形タイプを有する。いくつかの例では、第１の波形タイプは、Ｗｉ−Ｆｉ波形であり、第２の波形タイプは、直交周波数分割多重（ＯＦＤＭ）波形である。いくつかの例では、プレ許可送信５１５は、ダウンリンク送信のための２つ以上のチャネルを示し、２つ以上のチャネルのうち１つまたは複数のチャネルは、フィードバック通信５２０−５２５に少なくとも部分的に基づいてダウンリンク送信５３５−５４０を送信するために選択され得る。いくつかの例では、ダウンリンク送信５３５−５４０は、プレ許可送信５１５において示されたチャネルのうちのすべてより少ないチャネル上で送信される。いくつかの例では、フィードバック通信５２０−５２５は、多数のＵＥ１１５から受信され、ダウンリンク送信５３５−５４０は、ＵＥ１１５のすべてより少ないＵＥに送信され得る。
【００６４】
[0074]基地局１０５−ｄは、上で言及されるように、ＣＱＩに基づいてダウンリンク通信のためのＭＣＳを決定し得る。いくつかの例では、基地局１０５−ｄは、１つまたは複数のチャネルについて干渉がないことを識別し、プレ許可送信を中断し得る。いくつかの例では、干渉がないことを識別することは、定義された時間期間の間ＵＥで少量の干渉または全く干渉がないというインジケーションに少なくとも部分的に基づき得る。いくつかの例では、フィードバック通信５２０−５２５は、ＵＥ１１５のうちの１つまたは複数が１つまたは複数のチャネル上で送信することが可能でないことを示し、基地局１０５−ｄは、１つまたは複数の異なるＵＥ１１５を対象とした新しいプレ許可送信を開始し得る。
【００６５】
[0075]図６は、本開示の様々な態様にしたがって、共有無線周波数スペクトルを使用するチャネルクリアランス技法のために構成されたワイヤレスデバイス６００のブロック図を示す。ワイヤレスデバイス６００は、図１−図５を参照して説明されたＵＥ１１５の態様の例であり得る。ワイヤレスデバイス６００は、受信機６０５、ワイヤレス通信管理モジュール６１０、または送信機６１５を含み得る。ワイヤレスデバイス６００はまた、プロセッサを含み得る。これらのコンポーネントの各々は、互いに通信状態にありうる。
【００６６】
[0076]受信機６０５は、様々な情報チャネル（例えば、制御チャネル、データチャネル、および共有無線周波数スペクトル帯域を使用するチャネルクリアランス信号に関する情報、等）に関連付けられたパケット、ユーザデータ、または制御情報のような情報を受信し得る。情報は、ワイヤレス通信管理モジュールに、およびワイヤレスデバイス６００の他のコンポーネントに伝えられ得る。
【００６７】
[0077]ワイヤレス通信管理モジュール６１０は、ワイヤレスデバイスによって、ダウンリンク送信についての１つまたは複数のチャネルおよびダウンリンク送信の長さを示すプレ許可送信を受信し、プレ許可送信において示されたチャネルについて、プレ許可送信に少なくとも部分的に基づいて、リッスンビフォアトーク（ＬＢＴ）プロシージャを実行し、ＬＢＴプロシージャに少なくとも部分的に基づいてチャネルクリアランス信号を送信し、プレ許可送信に応答してフィードバック通信を送信し得、フィードバック通信は、プレ許可送信が受信されたことと、１つまたは複数のチャネルのうちどれがＬＢＴプロシージャに基づいて利用可能かとを示す。
【００６８】
[0078]送信機６１５は、ワイヤレスデバイス６００の他のコンポーネントから受信された信号を送信し得る。いくつかの例では、送信機６１５は、トランシーバモジュールにおいて受信機６０５とコロケートされ得る。送信機６１５は、単一のアンテナを含み得るか、または、それは、複数のアンテナを含み得る。
【００６９】
[0079]図７は、本開示の様々な態様にしたがって、共有無線周波数スペクトルを使用するチャネルクリアランス技法のためのワイヤレスデバイス７００のブロック図を示す。ワイヤレスデバイス７００は、図１−図６を参照して説明されたワイヤレスデバイス６００またはＵＥ１１５の態様の例であり得る。ワイヤレスデバイス７００は、受信機６０５−ａ、ワイヤレス通信管理モジュール６１０−ａ、または送信機６１５−ａを含み得る。ワイヤレスデバイス７００はまた、プロセッサを含み得る。これらのコンポーネントの各々は、互いに通信状態にあり得る。ワイヤレス通信管理モジュール６１０はまた、プレ許可送信モジュール７０５、ＬＢＴモジュール７１０、チャネルクリアランスモジュール７１５、およびフィードバックモジュール７２０を含み得る。
【００７０】
[0080]受信機６０５−ａは、ワイヤレス通信管理モジュール６１０−ａに、およびワイヤレスデバイス７００の他のコンポーネントに伝えられ得る情報を受信し得る。通信管理モジュール６１０−ａは、図６を参照して説明された動作を実行し得る。送信機６１５−ａは、ワイヤレスデバイス７００の他のコンポーネントから受信された信号を送信し得る。
【００７１】
[0081]プレ許可送信モジュール７０５は、たとえば、図２−図５を参照して説明されたような、ダウンリンク送信のための１つまたは複数のチャネルおよびダウンリンク送信の長さを示すプレ許可送信を含み得る。プレ許可送信モジュール７０５はまた、干渉が定義された時間期間の間存在しない（たとえば、過去６０秒の間干渉が全くない）と決定されたイベントにおいてプレ許可送信を中断する信号を送信し得る。
【００７２】
[0082]ＬＢＴモジュール７１０は、リッスンビフォアトーク（ＬＢＴ）プロシージャを実行し得る。いくつかの例では、ＬＢＴプロシージャは、プレ許可送信モジュール７０５によって受信されたプレ許可送信を受信した後に実行され、プレ許可送信において示された１つまたは複数のチャネルに少なくとも部分的に基づき得る。いくつかの例では、ＬＢＴプロシージャは、プレ許可送信を受信する前に実行される。この事例では、ＬＢＴモジュール７１０は、１つまたは複数のチャネルが送信のために利用可能かどうか決定するために共有無線周波数スペクトル帯域における１つまたは複数のチャネルを周期的にポーリングし得る。ＬＢＴプロシージャは、図２−図５を参照して説明されたように実行され得る。ＬＢＴモジュール７１０は、１つまたは複数のチャネルが占有され得るとＬＢＴプロシージャが示すとき、チャネルクリアランス信号の送信およびフィードバック通信をスキップし得る。ＬＢＴモジュール７１０はまた、フィードバック通信がクリアチャネル免除送信（ＣＥＴ）であり、ＬＢＴプロシージャをスキップすると決定し得る。
【００７３】
[0083]チャネルクリアランスモジュール７１５は、図２−図５を参照して説明されたように、ＬＢＴプロシージャに少なくとも部分的に基づいてチャネルクリアランス信号を送信し得る。チャネルクリアランスモジュール７１５はまた、第１の波形タイプを使用してチャネルクリアランス信号を送信し得る。いくつかの例では、第１の波形タイプは、Ｗｉ−Ｆｉ波形であり、第２の波形タイプは、直交周波数分割多重（ＯＦＤＭ）波形であり得る。チャネルクリアランスモジュール７１５はまた、ワイヤレスデバイスの近傍内のＷｉ−Ｆｉ送信機をクリアにするように、チャネルクリアランス信号の送信電力を選択し得る。いくつかの例では、チャネルクリアランス信号の送信電力は、ワイヤレスデバイスの近傍のエリアまたはダウンリンク送信のチャネル品質要求のうちの１つまたは複数に少なくとも部分的に基づいて選択され得る。チャネルクリアランスモジュール７１５はまた、１つまたは複数のチャネルについて他のデバイスの電力レベルおよびそれらのチャネルクリアランス信号をモニタし得る。チャネルクリアランスモジュール７１５はまた、検出されたチャネルクリアランス信号およびそれらの電力レベルにおいて示された時間期間を使用して将来の干渉を推定し得る。いくつかの例では、モニタすることは、Ｗｉ−Ｆｉプリアンブルをモニタすることを含み、推定することは、Ｗｉ−Ｆｉプリアンブルに関連付けられた長さ情報および干渉レベルをアグリゲートすることに基づき得る。いくつかの例では、上で議論されたように、チャネルクリアランス信号は、第１の波形タイプを有し、プレ許可送信は、第１の波形タイプと異なる第２の波形タイプを有する。いくつかの例では、第１の波形タイプは、Ｗｉ−Ｆｉ波形であり、第２の波形タイプは、直交周波数分割多重（ＯＦＤＭ）波形であり得る。
【００７４】
[0084]図２−図５を参照して説明したように、フィードバックモジュール７２０は、プレ許可送信に応答してフィードバック通信を送信し、フィードバック通信は、プレ許可送信が受信したことと、１つまたは複数のチャネルのうちどれがＬＢＴプロシージャに少なくとも部分的に基づいて利用可能かとを示す。フィードバックモジュール７２０はまた、第２の波形タイプを使用してフィードバック通信を送信し、第２の波形タイプは、第１の波形タイプと異なる。フィードバックモジュール７２０はまた、プレ許可送信を生成した基地局にフィードバック通信を送信するようにフィードバック通信の送信電力を選択し得る。フィードバックモジュール７２０はまた、プレ許可送信を中断するインジケーションを送信し得る。いくつかの例では、フィードバック通信を送信することは、将来の干渉レベルを推定することにさらに応答し得る。
【００７５】
[0085]図８は、本開示の様々な態様に従って、共有無線周波数スペクトル帯域を使用するチャネルクリアランス技法のためのワイヤレスデバイス６００またはワイヤレスデバイス７００のコンポーネントであり得るワイヤレス通信管理モジュール６１０−ｂのブロック図８００を示す。ワイヤレス通信管理モジュール６１０−ｂは、図６−図７を参照して説明されたワイヤレス通信管理モジュール６１０の態様の例であり得る。ワイヤレス通信管理モジュール６１０−ｂは、プレ許可送信モジュール７０５−ａ、ＬＢＴモジュール７１０−ａ、チャネルクリアランスモジュール７１５−ａ、およびフィードバックモジュール７２０を含み得る。これらのモジュールの各々は、図７を参照して説明された機能を実行し得る。ワイヤレス通信管理モジュール６１０−ａはまた、ダウンリンク送信モジュール８０５およびＣＱＩモジュール８１０を含み得る。
【００７６】
[0086]ダウンリンク送信モジュール８０５は、図２−図５を参照して説明されたように、ダウンリンク送信を受信し得る。いくつかの例では、プレ許可送信は、２つ以上のチャネルを示し、ダウンリンク送信は、プレ許可送信４０５において示されたチャネルのすべてよりも少ないチャネル上で受信される。いくつかの例では、ダウンリンク送信は、プレ許可送信において示されたチャネルのうちのすべてより少ないチャネル上で送信され得る。
【００７７】
[0087]ＣＱＩモジュール８１０は、図２−図５を参照して説明されたように、フィードバック通信がチャネル品質情報（ＣＱＩ）をさらに含み得るように構成され得る。ＣＱＩモジュール８１０はまた、定義された時間期間の間に１つまたは複数のチャネルについて干渉がないと決定し得る。
【００７８】
[0088]図９は、本開示の様々な態様にしたがって、共有無線周波数スペクトルを使用するチャネルクリアランス技法のために構成されたＵＥ１１５を含むシステム９００の図を示す。システム９００は、ＵＥ１１５−ｇを含み得、それは、図１−図８を参照して説明されたワイヤレスデバイス６００、ワイヤレスデバイス７００またはＵＥ１１５の例であり得る。ＵＥ１１５−ｇは、ワイヤレス通信管理モジュール９１０を含み得、それは、図６−図８を参照して説明されたワイヤレス通信管理モジュール６１０の例であり得る。ＵＥ１１５−ｇはまた、通信を送信するためのコンポーネントと通信を受信するためのコンポーネントとを含む、双方向の音声およびデータ通信のためのコンポーネントを含み得る。例えば、ＵＥ１１５−ｇは、ＵＥ１１５−ｈまたは基地局１０５−ｅと双方向に通信し得る。
【００７９】
[0089]ＵＥ１１５−ｇはまた、プロセッサ９０５、およびメモリ９１５（ソフトウェア（ＳＷ）９２０を含む）、トランシーバ９３５、および１つまたは複数のアンテナ９４０を含み得、それらの各々は、（例えば、バス９４５を介して）互いと、直接的にまたは間接的に、通信し得る。トランシーバ９３５は、上述されたように、アンテナ９４０またはワイヤードあるいはワイヤレスリンクを介して、１つまたは複数のネットワーク（たとえば、Ｗｉ−Ｆｉネットワーク、ＬＴＥ／ＬＴＥ−Ａネットワーク、またはその両方）と双方向に通信し得る。例えば、トランシーバ９３５は、基地局１０５−ｅ、別のＵＥ１１５ーｈ、または（図示されていない）Ｗｉ−Ｆｉアクセスポイントと双方向に通信し得る。トランシーバ９３５は、パケットを変調し、その変調されたパケットを送信のためにアンテナ９４０に提供することと、アンテナ９４０から受信されたパケットを復調することとを行うモデムを含み得る。ＵＥ１１５−ｇが単一のアンテナ９４０を含み得る一方で、ＵＥ１１５−ｇは、複数のワイヤレス送信を同時に送信または受信することが可能な複数のアンテナ９４０も有し得る。
【００８０】
[0090]メモリモ９１５は、ランダムアクセスメモリ（ＲＡＭ）および読み取り専用メモリ（ＲＯＭ）を含み得る。メモリ９１５は、実行されると、プロセッサ９０５に、本明細書に説明された様々な機能（例えば、共有無線周波数スペクトル帯域を使用するチャネルクリアランス技法、等）を行わせる命令を含む、コンピュータ可読、コンピュータ実行可能ソフトウェア／ファームウェアコード９２０を記憶し得る。代替として、ソフトウェア／ファームウェアコード９２０は、プロセッサ９０５によって直接的に実行可能ではないこともあるが、（例えば、コンパイルおよび実行されると）、コンピュータに、本明細書に説明されている機能を行わせ得る。プロセッサ９０５は、インテリジェントハードウェアデバイス、（例えば、中央処理ユニット（ＣＰＵ）、マイクロコントローラ、特定用途向け集積回路（ＡＳＩＣ）など）を含み得る。
【００８１】
[0091]図１０は、本開示の様々な態様にしたがって、共有無線周波数スペクトルを使用するチャネルクリアランス技法のために構成されたワイヤレスデバイス１０００のブロック図を示す。ワイヤレスデバイス１０００は、図１−図９を参照して説明された基地局１０５の態様の例であり得る。ワイヤレスデバイス１０００は、受信機１００５、基地局ワイヤレス通信管理モジュール１０１０、または送信機１０１５を含み得る。ワイヤレスデバイス１０００はまた、プロセッサを含み得る。これらのコンポーネントの各々は、互いに通信状態にあり得る。
【００８２】
[0092]受信機１００５は、様々な情報チャネル（例えば、制御チャネル、データチャネル、および共有無線周波数スペクトル帯域を使用するチャネルクリアランス信号に関する情報、等）に関連付けられたパケット、ユーザデータ、または制御情報のような情報を受信し得る。情報は、基地局ワイヤレス通信管理モジュール１０１０に、およびワイヤレスデバイス１０００の他のコンポーネントに伝えられ得る。
【００８３】
[0093]基地局ワイヤレス通信管理モジュール１０１０は、受信機１００５または送信機１０１５とともに、プレ許可送信および肯定応答長さと、無線フレーム送信長さとに少なくとも部分的に基づく長さインジケーションを有するチャネルクリアランス信号を送信することと、ダウンリンク送信のための１つまたは複数のチャネルおよびダウンリンク送信の長さを示すプレ許可送信を送信することと、プレ許可送信に応答してフィードバック通信を受信することとを行い得、フィードバック通信は、プレ許可送信が受信されたことと、１つまたは複数のチャネルのうちどれがダウンリンク送信のために利用可能かとを示す。
【００８４】
[0094]送信機１０１５は、ワイヤレスデバイス１０００の他のコンポーネントから受信された信号を送信し得る。いくつかの例では、送信機１０１５は、トランシーバモジュールにおいて受信機１００５とコロケートされ得る。送信機１０１５は、単一のアンテナを含み得るか、または、それは、複数のアンテナを含み得る。
【００８５】
[0095]図１１は、本開示の様々な態様にしたがって、共有無線周波数スペクトルを使用するチャネルクリアランス技法のためのワイヤレスデバイス１１００のブロック図を示す。ワイヤレスデバイス１１００は、図１−図１０を参照して説明された基地局１０５またはワイヤレスデバイス１０００の態様の例であり得る。ワイヤレスデバイス１１００は、受信機１００５−ａ、基地局ワイヤレス通信管理モジュール１０１０−ａ、または送信機１０１５−ａを含み得る。ワイヤレスデバイス１１００はまた、プロセッサを含み得る。これらのコンポーネントの各々は、互いに通信状態にあり得る。基地局ワイヤレス通信管理モジュール１０１０−ａはまた、ＢＳチャネルクリアランスモジュール１１０５、ＢＳプレ許可送信モジュール１１１０、およびＢＳフィードバックモジュール１１１５を含み得る。
【００８６】
[0096]受信機１００５−ａは、基地局ワイヤレス通信管理モジュール１０１０−ａに、およびワイヤレスデバイス１１００の他のコンポーネントに伝えられうる情報を受信しうる。基地局ワイヤレス通信管理モジュール１０１０−ａは、図１０を参照して説明された動作を実行し得る。送信機１０１５−ａは、ワイヤレスデバイス１１００の他のコンポーネントから受信された信号を送信し得る。
【００８７】
[0097]ＢＳチャネルクリアランスモジュール１１０５は、図２−図５を参照して説明されたように、送信機１０１５−ａに、プレ許可送信および肯定応答長さと、無線フレーム送信長さとに少なくとも部分的に基づく長さインジケーションを有するチャネルクリアランス信号を送信させ得る。ＢＳプレ許可送信モジュール１１１０は、送信機１０１５−ａに、図２−図５を参照して説明されたような、ダウンリンク送信のための１つまたは複数のチャネルおよびダウンリンク送信の長さを示すプレ許可送信を送信させ得る。
【００８８】
[0098]フィードバックモジュール１１１５は、図２−図５を参照して説明されたような、受信機１００５−ａを介して、プレ許可送信に応答してフィードバック通信を受信し得、フィードバック通信は、プレ許可送信が受信したことと、１つまたは複数のチャネルのうちどれがＬＢＴプロシージャに少なくとも部分的に基づいて利用可能かとを示す。
【００８９】
[0099]図１２は、本開示の様々な態様に従って、共有無線周波数スペクトル帯域を使用するチャネルクリアランス技法のためのワイヤレスデバイス１０００またはワイヤレスデバイス１１００のコンポーネントであり得るワイヤレス通信管理モジュール１０１０−ｂのブロック図１２００を示す。基地局ワイヤレス通信管理モジュール１０１０−ｂは、図１０−図１１を参照して説明された基地局ワイヤレス通信管理モジュール１０１０の態様の例であり得る。基地局ワイヤレス通信管理モジュール１０１０−ｂは、基地局チャネルクリアランスモジュール１１０５−ａ、ＢＳプレ許可送信モジュール１１１０−ａ、およびＢＳフィードバックモジュール１１１５−ａを含み得る。これらのモジュールの各々は、図１１を参照して説明された機能を実行し得る。基地局ワイヤレス通信管理モジュール１０１０−ｂはまた、ダウンリンク送信モジュール１２０５およびＣＱＩモジュール１２１０を含み得る。
【００９０】
[0100]ＢＳダウンリンク送信モジュール１２０５は、図２−図５を参照して説明されたような、プレ許可送信がダウンリンク送信のための２つ以上のチャネルを示すとき、フィードバック通信に少なくとも部分的に基づいてダウンリンク送信を送信するための２つ以上のチャネルを決定するように構成され得る。ＢＳ ＣＱＩモジュール１２１０は、図２−図５を参照して説明されたような、フィードバック通信におけるＣＱＩを受信することと、ＣＱＩに基づいて通信のためのＭＣＳを決定することとを行うように構成され得る。
【００９１】
[0101]図１３は、本開示の様々な態様にしたがって、共有無線周波数スペクトルを使用するチャネルクリアランス技法のために構成された基地局１０５を含むシステム１３００の図を示す。システム１３００は、基地局１０５−ｆを含み得、それは、図１−図１２を参照して説明されたワイヤレスデバイス１０００、ワイヤレスデバイス１１００、または基地局１０５の例であり得る。ＵＥ１０５−ｆは、基地局ワイヤレス通信管理モジュール１３１０を含み得、それは、図１０−図１２を参照して説明された基地局ワイヤレス通信管理モジュール１１０の例であり得る。基地局１０５−ｆはまた、通信を送信するためのコンポーネントおよび通信を受信するためのコンポーネントを含む、双方向音声およびデータ通信のためのコンポーネントを含み得る。例えば、基地局１０５−ｆは、ＵＥ１１５−ｉまたはＵＥ１１５−ｊと双方向に通信し得る。
【００９２】
[0102]いくつかの場合では、基地局１０５−ｆは、１つまたは複数のワイヤードバックホールリンクを有し得る。基地局１０５−ｆは、コアネットワーク１３０へのワイヤードバックホールリンク（例えば、Ｓ１インターフェース、等）を有しうる。基地局１０５−ｆはまた、基地局間バックホールリンク（例えば、Ｘ２インターフェース）を介して、基地局１０５−ｇおよび基地局１０５−ｈのような他の基地局１０５と通信し得る。基地局１０５の各々は、同じまたは異なるワイヤレス通信技術を使用してＵＥ１１５と通信し得る。いくつかの場合では、基地局１０５−ｆは、基地局通信モジュール１３２５を使用して１０５−ｇまたは１０５−ｈのような他の基地局と通信し得る。いくつかの例では、基地局通信モジュール１３２５は、基地局１０５のうちのいくつかの間の通信を提供するために、ロングタームエボリューション（ＬＴＥ）／ＬＴＥ−Ａワイヤレス通信ネットワーク技術内のＸ２インターフェースを提供し得る。いくつかの例では、基地局１０５−ｆは、コアネットワーク１３０を通じて他の基地局と通信しうる。いくつかの場合では、基地局１０５−ｆは、ネットワーク通信モジュール１３３０を通じてコアネットワーク１３０と通信し得る。
【００９３】
[0103]基地局１０５−ｆは、プロセッサ１３０５、メモリ１３１５（ソフトウェア（ＳＷ）１３２０を含む）、トランシーバ１３３５、およびアンテナ１３４０を含みえ、それらは各々、（例えば、バスシステム１３４５を通して）互いと、直接的にまたは間接的に、通信中であり得る。トランシーバ１３３５は、（免許無線周波数スペクトル帯域、共有無線周波数スペクトル帯域、またはこれらの組合せを使用して）アンテナ１３４０を介して、ＵＥ１１５と双方向に通信するように構成され得る。トランシーバ１３３５（または基地局１０５−ｆの他のコンポーネント）はまた、１つまたは複数の他の基地局（示されていない）と、アンテナ１３４０を介して双方向に通信するように構成され得る。トランシーバ１３３５は、パケットを変調して、変調されたパケットを送信のためにアンテナ１３４０に提供するように、およびアンテナ１３４０から受信されたパケットを復調するように構成されるモデムを含み得る。基地局１０５−ｆは、各々が１つまたは複数の関連したアンテナ１３４０を有する、複数のトランシーバ１３３５を含み得る。トランシーバは、組み合わされた図１０の受信機１００５および送信機１０１５の例であり得る。
【００９４】
[0104]メモリ１３１５は、ＲＡＭおよびＲＯＭを含み得る。メモリ１３１５は、実行されると、プロセッサ１３１０に、本明細書に説明された様々な機能（例えば、共有無線周波数スペクトル帯域を使用するチャネルクリアランス技法、呼処理（ｃａｌｌ  ｐｒｏｃｅｓｓｉｎｇ）、データ管理、メッセージルーティング、等）を行わせるように構成された命令を含む、コンピュータ可読、コンピュータ実行可能ソフトウェア／ファームウェアコード１３２０を記憶し得る。代替として、ソフトウェア１３２０は、プロセッサ１３０５によって直接実行可能ではないことがありうるが、例えば、コンパイルおよび実行されたときに、コンピュータに、ここに説明された機能を遂行させるように構成され得る。プロセッサ１３０５は、インテリジェントハードウェアデバイス、例えば、ＣＰＵ、マイクロコントローラ、ＡＳＩＣ等を含み得る。プロセッサ１３０５は、符号化器、待ち行列処理モジュール（ｑｕｅｕｅ  ｐｒｏｃｅｓｓｉｎｇ  ｍｏｄｕｌｅｓ）、ベースバンドプロセッサ、無線ヘッドコントローラ、デジタルシグナルプロセッサ（ＤＳＰ）等のような、様々な専用プロセッサを含み得る。
【００９５】
[0105]基地局通信モジュール１３２５は、他の基地局１０５との通信を管理し得る。いくつかの場合では、通信管理モジュールは、他の基地局１０５と連携してＵＥ１１５との通信を制御するためのコントローラまたはスケジューラを含み得る。例えば、基地局通信モジュール１３２５は、ビームフォーミングもしくはジョイント送信のようなさまざまな干渉緩和技法のために、ＵＥ１１５への送信のためのスケジューリングを調整し得る。
【００９６】
[0106]ワイヤレスデバイス６００、ワイヤレスデバイス７００、ワイヤレス通信管理モジュール６１０または通信管理モジュール９１０、ワイヤレスデバイス１０００、ワイヤレスデバイス１１００、および基地局ワイヤレス通信管理モジュール１３１０は、ハードウェアにおいて適用可能な機能のうちのいくつかまたはすべてを実行するように適合された少なくとも１つのＡＳＩＣと独立してまたはまとめてインプリメントされ得る。代替的に、機能は、少なくとも１つのＩＣ上で、１つまたは複数の他の処理ユニット（または、コア）によって実行され得る。他の例では、他のタイプの集積回路（例えば、構造化／プラットフォームＡＳＩＣ、フィールドプログラマブルゲートアレイ（ＦＰＧＡ）、または別のセミ・カスタムＩＣ）が使用され得、それらは、当該技術分野において既知の任意の方法でプログラムされ得る。各ユニットの機能はまた、メモリにおいて具現化され、１つまたは複数の汎用またはアプリケーション特有のプロセッサによって実行されるようにフォーマットされた命令で、全体的または部分的に、インプリメントされうる。
【００９７】
[0107]図１４は、本開示の様々な態様にしたがって、共有無線周波数スペクトルを使用するチャネルクリアランス技法のための方法１４００を示すフローチャートを示す。方法１４００の動作は、図１−図１３を参照して説明されたようなＵＥ１１５またはそれのコンポーネントによってインプリメントされ得る。例えば、方法１４００の動作は、図６−図９を参照して説明されたように、ワイヤレス通信管理モジュール６１０によって実行され得る。いくつかの例において、ＵＥ１１５は、以下に説明される機能を実行するようにＵＥ１１５の機能的要素を制御するコードのセットを実行し得る。追加または代替として、ＵＥ１１５は、専用ハードウェアを使用して、以下に説明される機能態様を実行し得る。
【００９８】
[0108]ブロック１４０５で、方法１１５は、ＬＢＴプロシージャを実行し得る。いくつかの例では、ＬＢＴプロシージャは、プレ許可送信を受信する前に実行される。いくつかの例では、ＬＢＴプロシージャは、ブロック１４１０で受信したプレ許可送信を受信した後に実行され、プレ許可送信において示された１つまたは複数のチャネルに少なくとも部分的に基づき得る。ＬＢＴプロシージャは、図２−図５を参照して説明されたように実行され得る。特定の例では、ブロック１４０５の動作は、図７を参照して説明されたように、ＬＢＴモジュール７１０によって実行され得る。
【００９９】
[0109]ブロック１４１０で、ＵＥ１１５は、たとえば、図２−図５を参照して説明されたような、ダウンリンク送信のための１つまたは複数のかチャネルおよびダウンリンク送信の長さを示すプレ許可送信を受信し得る。特定の例では、ブロック１４１０の動作は、図７を参照して説明されたように、プレ許可送信モジュール７０５によって実行され得る。
【０１００】
[0110]ブロック１４１５で、ＵＥ１１５は、図２−図５を参照して説明されたように、ＬＢＴプロシージャに少なくとも部分的に基づいてチャネルクリアランス信号を送信し得る。特定の例では、ブロック１４１５の動作は、図７を参照して説明されたように、チャネルクリアランスモジュール７１５によって実行され得る。
【０１０１】
[0111]ブロック１４２０で、図２−図５を参照して説明したように、ＵＥ１１５は、プレ許可送信に応答してフィードバック通信を送信し、フィードバック通信は、プレ許可送信が受信したことと、１つまたは複数のチャネルのうちどれがＬＢＴプロシージャに少なくとも部分的に基づいて利用可能かとを示す。ある特定の例では、ブロック１４２０の動作は、図７を参照して説明されたように、フィードバックモジュール７２０によって実行され得る。
【０１０２】
[0112]図１５は、本開示の様々な態様にしたがって、共有無線周波数スペクトルを使用するチャネルクリアランス技法のための方法１５００を示すフローチャートを示す。方法１５００の動作は、図１−図１３を参照して説明されたようなＵＥ１１５またはそれのコンポーネントによってインプリメントされ得る。例えば、方法１５００の動作は、図６−図９を参照して説明されたように、ワイヤレス通信管理モジュール６１０によって実行され得る。いくつかの例において、ＵＥ１１５は、以下に説明される機能を実行するようにＵＥ１１５の機能的要素を制御するコードのセットを実行し得る。追加または代替として、ＵＥ１１５は、専用ハードウェアを使用して、以下に説明される機能態様を実行し得る。方法１５００はまた、図１４の方法１４００の態様を組み込み得る。
【０１０３】
[0113]ブロック１５０５で、方法１１５は、ＬＢＴプロシージャを実行し得る。いくつかの例では、ＬＢＴプロシージャは、プレ許可送信を受信する前に実行される。いくつかの例では、ＬＢＴプロシージャは、ブロック１５１０で受信したプレ許可送信を受信した後に実行され、プレ許可送信において示された１つまたは複数のチャネルに少なくとも部分的に基づき得る。ＬＢＴプロシージャは、図２−図５を参照して説明されたように実行され得る。特定の例では、ブロック１５０５の動作は、図７を参照して説明されたように、ＬＢＴＳモジュール７１０によって実行され得る。
【０１０４】
[0114]ブロック１５１０で、ＵＥ１１５は、たとえば、図２−図５を参照して説明されたような、ダウンリンク送信のための１つまたは複数のかチャネルおよびダウンリンク送信の長さを示すプレ許可送信を受信し得る。特定の例では、ブロック１５１０の動作は、図７を参照して説明されたように、プレ許可送信モジュール７０５によって実行され得る。
【０１０５】
[0115]ブロック１５１５で、ＵＥ１１５は、図２−図５を参照して説明されたように、ＬＢＴプロシージャに少なくとも部分的に基づいてチャネルクリアランス信号を送信し得る。特定の例では、ブロック１５１５の動作は、図７を参照して説明されたように、チャネルクリアランスモジュール７１５によって実行され得る。
【０１０６】
[0116]ブロック１５２０で、図２−図５を参照して説明したように、ＵＥ１１５は、プレ許可送信に応答してフィードバック通信を送信し、フィードバック通信は、プレ許可送信が受信したことと、１つまたは複数のチャネルのうちどれがＬＢＴプロシージャに少なくとも部分的に基づいて利用可能かとを示す。ある特定の例では、ブロック１５２０の動作は、図７を参照して説明されたように、フィードバックモジュール７２０によって実行され得る。
【０１０７】
[0117]ブロック１５２５で、ＵＥ１１５は、図２−図５を参照して説明されたように、ダウンリンク送信を受信し得る。特定の例では、ブロック１５２５の動作は、図８を参照して説明されたように、ダウンリンク送信モジュール８０５によって実行され得る。いくつかの例では、プレ許可送信は、２つ以上のチャネルを示し、ダウンリンク送信は、プレ許可送信において示されたチャネルのすべてよりも少ないチャネル上で受信される。
【０１０８】
[0118]図１６は、本開示の様々な態様にしたがって、共有無線周波数スペクトルを使用するチャネルクリアランス技法のための方法１６００を示すフローチャートを示す。方法１６００の動作は、図１−図１３を参照して説明されたように、基地局１０５またはそのコンポーネントによってインプリメントされ得る。例えば、方法１６００の動作は、図１０−図１３を参照して説明されたように、ワイヤレス通信管理モジュール１０１０によって実行され得る。いくつかの例では、基地局１０５は、基地局１０５の機能的要素を制御して以下に説明される機能を実行するためにコードのセットを実行し得る。追加または代替として、基地局１０５は、専用ハードウェアを使用して、以下に説明される機能態様を実行し得る。方法１６００はまた、図１４−図１５の方法１４００および１５００の態様を組み込み得る。
【０１０９】
[0119]ブロック１６０５で、基地局１０５は、図２−図５を参照して説明されたように、プレ許可送信および肯定応答長さと、無線フレーム送信長さとに少なくとも部分的に基づく長さインジケーションを有するチャネルクリアランス信号を送信し得る。特定の例では、ブロック１６０５の動作は、図１１を参照して説明されたように、ＢＳチャネルクリアランスモジュール１１０５によって実行され得る。
【０１１０】
[0120]ブロック１６１０で、基地局１０５は、図２−図５を参照して説明されたような、ダウンリンク送信のための１つまたは複数のかチャネルおよびダウンリンク送信の長さを示すプレ許可送信を送信し得る。特定の例では、ブロック１６１０の動作は、図１１を参照して説明されたように、基地局プレ許可送信モジュール１１１０によって実行され得る。
【０１１１】
[0121]ブロック１６１５で、基地局は、図２−図５を参照して説明したように、プレ許可送信に応答してフィードバック通信を受信し得、フィードバック通信は、プレ許可送信が受信したことと、１つまたは複数のチャネルのうちどれがＬＢＴプロシージャに少なくとも部分的に基づいて利用可能かとを示す。特定の例では、ブロック１６１５の動作は、図１１を参照して説明されたように、ＢＳフィードバックモジュール１１１５によって実行され得る。
【０１１２】
[0122]図１７は、本開示の様々な態様にしたがって、共有無線周波数スペクトルを使用するチャネルクリアランス技法のための方法１７００を示すフローチャートを示す。方法１７００の動作は、図１−図１３を参照して説明されたように、基地局１０５またはそのコンポーネントによってインプリメントされ得る。例えば、方法１７００の動作は、図１０−図１３を参照して説明されたように、ワイヤレス通信管理モジュール１０１０によって実行され得る。いくつかの例では、基地局１０５は、基地局１０５の機能的要素を制御して以下に説明される機能を実行するためにコードのセットを実行し得る。追加または代替として、基地局１０５は、専用ハードウェアを使用して、以下に説明される機能態様を実行し得る。方法１７００はまた、図１４−図１６の方法１４００、１５００、および１６００の態様を組み込み得る。
【０１１３】
[0123]ブロック１７０５で、基地局１０５は、図２−図５を参照して説明されたように、プレ許可送信および肯定応答長さと、無線フレーム送信長さとに少なくとも部分的に基づく長さインジケーションを有するチャネルクリアランス信号を送信し得る。特定の例では、ブロック１７０５の動作は、図１１を参照して説明されたように、ＢＳチャネルクリアランスモジュール１１０５によって実行され得る。
【０１１４】
[0124]ブロック１７１０で、基地局１０５は、図２−図５を参照して説明されたように、ダウンリンク送信のための１つまたは複数のかチャネルおよびダウンリンク送信の長さを示すプレ許可送信を送信し得る。特定の例では、ブロック１７１０の動作は、図１１を参照して説明されたように、基地局プレ許可送信モジュール１１１０によって実行され得る。
【０１１５】
[0125]ブロック１７１５で、基地局は、図２−図５を参照して説明したように、プレ許可送信に応答してフィードバック通信を受信し得、フィードバック通信は、プレ許可送信が受信したことと、１つまたは複数のチャネルのうちどれがＬＢＴプロシージャに少なくとも部分的に基づいて利用可能かとを示す。特定の例では、ブロック１７１５の動作は、図１１を参照して説明されたように、ＢＳフィードバックモジュール１１１５によって実行され得る。
【０１１６】
[0126]ブロック１７２０で、基地局１０５は、図２−図５を参照して説明されたように、１つまたは複数のチャネルについて干渉がないと識別し得る。そのような識別は、たとえば、干渉がある時間期間の間検出されなかったというＵＥから受信したインジケーションに基づいて行われ得る。特定の例では、ブロック１７２０の動作は、図７を参照して説明されたように、フィードバックモジュール７２０によって実行され得る。
【０１１７】
[0127]ブロック１７２５で、基地局１０５は、図２−図５を参照して説明されたように、プレ許可送信を中断し得る。特定の例では、ブロック１７２５の動作は、図７を参照して説明されたように、プレ許可送信モジュール７０５によって実行され得る。
【０１１８】
[0128]したがって、方法１４００、１５００、１６００、および１７００は、共有無線周波数スペクトル帯域使用するチャネルクリアランス技法を提供し得る。方法１４００、１５００、１６００、および１７００が、可能なインプリメンテーションを説明しており、動作およびステップが、他のインプリメンテーションが可能になるように並べ替えられ得るか、またはそうでない場合は修正され得ることが留意されるべきである。いくつかの例では、方法１４００、１５００、１６００、および１７００のうちの２つ以上から態様が組み合わされ得る。
【０１１９】
[0129]本明細書での説明は、例を提供するものであり、特許請求の範囲に記載されている範囲、適用可能性、または例を限定するものではない。変更は、本開示の範囲から逸脱することなく、説明される要素の機能および配置において行われうる。様々な例は、様々なプロシージャまたはコンポーネントを、適宜、省略、置換、または追加し得る。また、いくつかの例に関して説明される特徴は、他の例において組み合わされ得る。
【０１２０】
[0130]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムといった、様々なワイヤレス通信システムのために使用され得る。「システム」および「ネットワーク」という用語は、しばしば交換可能に使用される。ＣＤＭＡシステムは、ＣＤＭＡ２０００、ユニバーサルテレストリアル無線アクセス（ＵＴＲＡ）等のような無線技術をインプリメントすることができる。ＣＤＭＡ２０００は、ＩＳ−２０００、ＩＳ−９５、ＩＳ−８５６規格をカバーする。ＩＳ−２０００リリース０およびＡは一般に、ＣＤＭＡ２０００  １Ｘ、１Ｘ等と称される。ＩＳ−８５６（ＴＩＡ−８５６）は、一般に、ＣＤＭＡ２０００  １ｘＥＶ−ＤＯ、高速パケットデータ（ＨＲＰＤ）等と称される。ＵＴＲＡは、広帯域ＣＤＭＡ（ＷＣＤＭＡ（登録商標））およびＣＤＭＡの他の変形を含む。時分割多元接続（ＴＤＭＡ）システムは、グローバルシステムフォーモバイルコミュニケーション（ＧＳＭ（登録商標））のような無線技術をインプリメントしうる。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ等のような無線技術をインプリメントすることができる。ＵＴＲＡおよびＥ−ＵＴＲＡは、ユニバーサルモバイルテレコミュニケ―ションシステム（ＵＭＴＳ）の一部である。３ＧＰＰ（登録商標）ロングタームエボリューション（ＬＴＥ）およびＬＴＥ−アドバンスド（ＬＴＥ−Ａ）は、Ｅ−ＵＴＲＡを使用するユニバーサルモバイル電気通信システム（ＵＭＴＳ）の新しいリリースである。ＵＴＲＡ、Ｅ−ＵＴＲＡ、ユニバーサルモバイルテレコミュニケーションシステム（ＵＭＴＳ）、ＬＴＥ、ＬＴＥ−Ａ、およびグローバルシステムフォーモバイルコミュニケーション（ＧＳＭ）は、「第３世代パートナーシッププロジェクト」（３ＧＰＰ）という名称の団体からの文書に説明されている。ＣＤＭＡ２０００およびＵＭＢは、「第３世代パートナーシッププロジェクト２」（３ＧＰＰ２）という名称の団体による文書中で説明されている。本明細書で説明される技法は、上で言及されたシステムおよび無線技術、それに加えて他のシステムおよび無線技術のために使用され得る。しかしながら、本明細書の説明は、例の目的でＬＴＥシステムを説明しており、ＬＴＥという専門用語が上記の説明のほとんどにおいて使用されているが、その技法はＬＴＥアプリケーションを超えて適用可能である。２の信号（例えば、ＬＴＥ信号）を識別するために、第２の無線機（例えば、ＬＴＥ無線機）によって利用され得る。
【０１２１】
[0131]本明細書で説明されたそのようなネットワークを含むＬＴＥ／ＬＴＥ−Ａネットワークでは、発展型ノードＢ（ｅＮＢ）という用語は概して、基地局を説明するために使用されうる。本明細書で説明されたワイヤレス通信のシステムまたは複数のシステムは、異なるタイプの発展型ノードＢ（ｅＮＢ）が様々な地理的な領域に対してカバレッジを提供する異種ＬＴＥ／ＬＴＥ−ａネットワークを含み得る。例えば、各ｅＮＢまたは基地局は、マクロセル、スモールセル、または他のタイプのセルに対して通信カバレージを提供し得る。「セル」という用語は、コンテキストに依存して、基地局、基地局に関連付けられたキャリアまたはコンポーネントキャリア（component carrier）、あるいはキャリアまたは基地局のカバレージエリア（例えば、セクタ、等）を説明するために使用されることができる、３ＧＰＰ（登録商標）の用語である。
【０１２２】
[0132]基地局は、ベーストランシーバ局、無線基地局、アクセスポイント、無線トランシーバ、ノードＢ、ｅノードＢ（ｅＮＢ）、ホームノードＢ、ホームｅノードＢ、または何らかの他の適した専門用語で当業者によって呼ばれうるか、あるいはそれらを含みうる。基地局のための地理的なカバレージエリアは、カバレージエリアの一部分のみを構成する複数のセクタに分割され得る。本明細書で説明されたワイヤレス通信のシステムまたは複数のシステムは、異なるタイプの基地局（例えば、マクロまたはスモールセル基地局）を含み得る。本明細書で説明されたＵＥは、マクロｅＮＢ、スモールセルｅＮＢ、中継基地局、および同様のものを含む様々なタイプの基地局およびネットワーク機器と通信することが可能であり得る。異なる技術についての重複する地理的なカバレッジエリアが存在し得る。
【０１２３】
[0133]マクロセルは概して、比較的大きい地理的エリア（例えば、半径数キロメートル）をカバーし、ネットワークプロバイダへのサービス加入を持つＵＥによる無制限アクセスを可能にしうる。スモールセルは、マクロセルと比較して、より低い電力の基地局であり、これは、マクロセルと同じまたは異なる（例えば、認可、無認可、等の）周波数帯域において動作し得る。スモールセルは、様々な例によると、ピコセル、フェムトセル、およびマイクロセルを含み得る。ピコセルは、例えば、小さい地理的なエリアをカバーし得、ネットワークプロバイダにサービス加入しているＵＥによる制限されていないアクセスを可能にし得る。フェムトセルはまた、小さい地理的なエリア（例えば、自宅）をカバーし得、フェムトセルとのアソシエーションを有するＵＥ（例えば、クローズド加入者グループ（ＣＳＧ）中のＵＥ、自宅内のユーザのためのＵＥ、および同様のもの）による制限されたアクセスを提供し得る。マクロセルに対するｅＮＢは、マクロｅＮＢと称されうる。スモールセルのためのｅＮＢは、スモールセルｅＮＢ、ピコｅＮＢ、フェムトｅＮＢ、またはホームｅＮＢと称され得る。ｅＮＢは、１つまたは複数（例えば、２つ、３つ、４つ、等）のセル（例えば、コンポーネントキャリア）をサポートし得る。ＵＥは、マクロｅＮＢ、スモールセルｅＮＢ、中継基地局、および同様のものを含む様々なタイプの基地局およびネットワーク機器と通信することが可能であり得る。
【０１２４】
[0134]本明細書に説明された１つまたは複数のワイヤレス通信システムは、同期または非同期動作をサポートしうる。同期動作では、基地局は類似のフレームタイミングを有し得、異なる基地局からの送信が時間的に近似にアラインされうる。非同期動作では、基地局は異なるフレームタイミングを有し得、異なる基地局からの送信が時間的にアラインされ得ない。本明細書で説明される技法は、同期または非同期動作のいずれかのために使用されうる。
【０１２５】
[0135]本明細書に説明されたダウンリンク送信はまた、順方向リンク送信と呼ばれ、その一方でアップリンク送信はまた、逆方向リンク送信と呼ばれ得る。本明細書で説明された各通信リンク−例えば、図１および図２のワイヤレス通信システム１００および２００を含む−は、１つまたは複数のキャリアを含み得、ここで、各キャリアは、複数のサブキャリア（例えば、異なる周波数の波形信号）から構成される信号であり得る。各変調された信号は、異なるサブキャリア上で送られ得、制御情報（例えば、基準信号、制御チャネルなど）、オーバヘッド情報、ユーザデータなどを搬送し得る。本明細書で説明された通信リンク（例えば、図１の通信リンク１２５）は、（例えば、対のスペクトルリソースを使用する）周波数分割複信（ＦＤＤ）、または（例えば、対になっていないスペクトルリソースを使用する）時分割複信（ＴＤＤ）動作を使用して、双方向通信を送信し得る。フレーム構造は、周波数分割複信（ＦＤＤ）（例えば、フレーム構造タイプ１）およびＴＤＤ（例えば、フレーム構造タイプ２）について定義され得る。
【０１２６】
[0136]添付された図面に関連して本明細書に記載された説明は、実例的な構成を説明しており、インプリメントされうるまたは特許請求の範囲内にあるすべての例を表してはいない。本明細書で使用される「例示的（exemplary）」という用語は、「好ましい」または「他の例よりも有利である」ということではなく、「例、事例、または例示としての役割をすること」を意味する。詳細な説明は、説明された技法の理解を提供する目的で具体的な詳細を含む。しかしながら、これらの技法は、これらの特定の詳細なしに実施され得る。いくつかの事例では、周知の構造およびデバイスは、説明されている例のコンセプトを暖味にすることを回避するためにブロック図の形態で図示されている。
【０１２７】
[0137]添付された図面では、同様のコンポーネントまたは特徴は、同じ参照ラベルを有しうる。さらに、同じタイプの様々なコンポーネントは、参照ラベルに、ダッシュと、同様のコンポーネントを区別する第２のラベルとを後続させることによって区別され得る。本明細書において第１の参照ラベルのみが使用されている場合、本説明は、第２の参照ラベルに関係なく同じ第１の参照ラベルを有する同様のコンポーネントのいずれか１つに、適用可能である。
【０１２８】
[0138]本明細書に説明された情報および信号は、多様な異なる技術および技法のうちの任意のものを使用して表わされうる。例えば、上記の説明全体を通じて参照されうるデータ、命令、コマンド、情報、信号、ビット、シンボル、およびチップは、電圧、電流、電磁波、磁場または磁性粒子、光学場または光学粒子、あるいはそれらのいずれの組み合わせによっても表され得る。
【０１２９】
[0139]本明細書での開示に関連して説明された様々な例示的なブロックおよびモジュールは、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいはここに説明された機能を遂行するように設計されたそれらの任意の組み合わせを用いてインプリメントまたは実行され得る。汎用プロセッサはマイクロプロセッサでありうるが、代わりとして、プロセッサは、いずれの従来のプロセッサ、コントローラ、マイクロコントローラ、またはステートマシンでもあり得る。プロセッサはまた、コンピューティングデバイスの組み合わせ（例えば、デジタルシグナルプロセッサ（ＤＳＰ）およびマイクロプロセッサの組み合わせ、複数のマイクロプロセッサ、ＤＳＰコアと連携した１つまたは複数のマイクロプロセッサ、あるいは任意の他のそのような構成）としてインプリメントされ得る。
【０１３０】
[0140]本明細書で説明されている機能は、ハードウェア、プロセッサによって実行されるソフトウェア、ファームウェア、またはそれらのいずれの組み合わせでもインプリメントされる。プロセッサによって実行されるソフトウェアにおいてインプリメントされる場合、機能は、コンピュータ可読媒体上で、１つまたは複数の命令またはコードとして記憶または送信され得る。他の例およびインプリメンテーションは、本開示および添付の請求項の精神および範囲内にある。例えば、ソフトウェアの性質に起因して、上記に説明された機能は、プロセッサによって実行されるソフトウェア、ハードウェア、ファームウェア、ハードワイヤリング、またはこれらのうちのいずれのものの組合せを使用してもインプリメントされ得る。機能を実現する特徴はまた、様々な位置において物理的に位置付けされ得、それは、機能の一部が異なる物理的な位置においてインプリメントされるように分散されることを含む。請求項を含む本明細書で使用される場合、「および／または」という用語は、２つ以上の項目からなるリストで使用されるとき、リストされた項目のうちのいずれか１つが単独で用いられること、または、リストされた項目のうちの２つ以上から成るあらゆる組み合わせが用いられうることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含み得る。また、請求項を含む本明細書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【０１３１】
[0141]コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされることができる任意の利用可能な媒体でありうる。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用または専用コンピュータ、または汎用または専用プロセッサによってアクセスされることができるその他任意の非一時的な媒体を備えることができる。また、あらゆる接続手段がコンピュータ可読媒体と適当に名付けられる。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、デジタル加入者回線（ＤＳＬ）、または赤外線、無線、およびマイクロ波のようなワイヤレス技術は、媒体の定義に含まれる。本明細書で使用される場合、ディスク（disk）およびディスク（disc）は、ＣＤ、レーザーディスク（登録商標）（disc）、光学ディスク（disc）、デジタル多目的ディスク（disc）（ＤＶＤ）、フロッピー（登録商標）ディスク（disk）、およびブルーレイディスク（disc）を含み、ここでディスク（disk）は通常磁気的にデータを再生する一方で、ディスク（disc）は、レーザーを用いて光学的にデータを再生する。上記の組合せもまた、コンピュータ可読媒体の範囲内に含まれる。
【０１３２】
[0142]本明細書での説明は、当業者が本開示を製造または使用することを可能にするために提供される。本開示への様々な修正は、当業者にとって容易に明らかになり、本明細書で定義された一般的な原理は、本開示の範囲から逸脱することなく、他のバリエーションに適用されうる。したがって、本開示は、本明細書で説明されている例および設計に限定されることになっておらず、本明細書で開示されており原理および新規な特徴と一致する最も広い範囲を与えられることとなる。
【図１】
2018519768.tif 000003
【図２】
2018519768.tif 000004
【図３】
2018519768.tif 000005
【図４】
2018519768.tif 000006
【図５】
2018519768.tif 000007
【図６】
2018519768.tif 000008
【図７】
2018519768.tif 000009
【図８】
2018519768.tif 000010
【図９】
2018519768.tif 000011
【図１０】
2018519768.tif 000012
【図１１】
2018519768.tif 000013
【図１２】
2018519768.tif 000014
【図１３】
2018519768.tif 000015
【図１４】
2018519768.tif 000016
【図１５】
2018519768.tif 000017
【図１６】
2018519768.tif 000018
【図１７】
2018519768.tif 000019
【国際調査報告】
2018519768.tif 000020
2018519768.tif 000021